(57)【特許請求の範囲】
【請求項１】
動的グラントなしのアップリンク送信のための方法であって、前記方法が、
ユーザ機器（UE）によって、1つ以上の帯域幅部分のための構成を運ぶ無線リソース制御（RRC）シグナリングを受信するステップであって、
前記1つ以上の帯域幅部分の各々のための前記構成が、numerology、開始周波数領域位置、周波数領域長、および動的グラントなしの送信のためのリソース構成を含む、ステップと、
前記UEによって、前記1つ以上の帯域幅部分のうちの帯域幅部分の前記リソース構成に従って動的グラントなしのアップリンク送信を実行するステップと
を含む、方法。
【請求項２】
前記リソース構成が、スロット内の開始シンボル位置および期間を示すミニスロット構成を含む、請求項1に記載の方法。
【請求項３】
前記1つ以上の帯域幅部分のうちの前記帯域幅部分が、前記RRCシグナリングによって示されるアクティブ化帯域幅部分である、請求項1に記載の方法。
【請求項４】
前記UEによって、ダウンリンク制御情報（DCI）シグナリングを受信するステップであって、前記1つ以上の帯域幅部分のうちの前記帯域幅部分が、前記DCIによって示されるアクティブ化帯域幅部分である、ステップをさらに含む、請求項1に記載の方法。
【請求項５】
前記1つ以上の帯域幅部分が、初期アクティブ化帯域幅部分を含む、請求項1に記載の方法。
【請求項６】
DCI信号が、動的グラントなしの送信のために予約されたアップリンク（UL）時間／周波数リソース、動的グラントなしの送信のための変調および符号化方式（MCS）パラメータ、ならびに動的グラントなしの送信のための復調基準信号（DMRS）構成のうちの少なくとも1つを示す、請求項4または5に記載の方法。
【請求項７】
第2のRRC信号によって指定される前記構成が、動的グラントなしの送信のために予約されたUL周波数リソース、開始時間基準、リソース周期性、動的グラントなしの送信のための時間リソースサイズパラメータ、動的グラントなしの送信のための変調および符号化方式（MCS）パラメータ、動的グラントなしの送信のための復調基準信号（DMRS）構成、電力制御パラメータ、ならびに動的グラントなしの送信のための1つ以上の繰り返し係数のうちの少なくとも1つを含む、請求項1に記載の方法。
【請求項８】
第2のRRC信号によって指定される前記1つ以上の第2のUE構成パラメータにおいて、動的グラントなしの送信のための時間リソースサイズパラメータが、データ送信間隔（TTI）のアクセス可能な開始位置およびアクセス可能な終了位置を含み、前記データTTIが、シンボル、ミニスロット、およびスロットのうちの1つである、請求項4に記載の方法。
【請求項９】
ユーザ機器（UE）であって、
プロセッサと、
前記プロセッサに接続されたメモリであって、前記メモリが、実行されたときに前記プロセッサに、
1つ以上の帯域幅部分のための構成を運ぶ無線リソース制御（RRC）シグナリングを受信させ、
前記1つ以上の帯域幅部分の各々のための前記構成が、numerology、開始周波数領域位置、周波数領域長、および動的グラントなしの送信のためのリソース構成を含み、
前記1つ以上の帯域幅部分のうちの帯域幅部分の前記リソース構成に従って動的グラントなしのアップリンク送信を実行させる
命令を含む、メモリと
を備える、ユーザ機器（UE）。
【請求項１０】
前記リソース構成が、スロット内の開始シンボル位置および期間を示すミニスロット構成を含む、請求項9記載のUE。
【請求項１１】
前記1つ以上の帯域幅部分のうちの前記帯域幅部分が、前記RRCシグナリングによって示されるアクティブ化帯域幅部分である、請求項9に記載のUE。
【請求項１２】
前記命令が、前記プロセッサに、ダウンリンク制御情報（DCI）シグナリングをさらに受信させ、前記1つ以上の帯域幅部分のうちの前記帯域幅部分が、前記DCIによって示されるアクティブ化帯域幅部分である、請求項9に記載のUE。
【請求項１３】
前記1つ以上の帯域幅部分が、初期アクティブ化帯域幅部分を含む、請求項9に記載のUE。
【請求項１４】
DCI信号が、動的グラントなしの送信のために予約されたアップリンク（UL）時間／周波数リソース、動的グラントなしの送信のための変調および符号化方式（MCS）パラメータ、ならびに動的グラントなしの送信のための復調基準信号（DMRS）構成のうちの少なくとも1つを示す、請求項12または13に記載のUE。
【請求項１５】
第2のRRC信号によって指定される前記構成が、動的グラントなしの送信のために予約されたUL周波数リソース、開始時間基準、リソース周期性、動的グラントなしの送信のための時間リソースサイズパラメータ、動的グラントなしの送信のための変調および符号化方式（MCS）パラメータ、動的グラントなしの送信のための復調基準信号（DMRS）構成、電力制御パラメータ、ならびに動的グラントなしの送信のための1つ以上の繰り返し係数のうちの少なくとも1つを含む、請求項9に記載のUE。
【請求項１６】
前記第2のRRC信号によって指定される前記1つ以上の第2のUE構成パラメータにおいて、動的グラントなしの送信のための前記時間リソースサイズパラメータが、データ送信間隔（TTI）のアクセス可能な開始位置およびアクセス可能な終了位置を含み、前記データTTIが、シンボル、ミニスロット、およびスロットのうちの1つである、請求項15に記載のUE。
【請求項１７】
動的グラントなしのアップリンク送信のための方法であって、
基地局（BS）によって、1つ以上の帯域幅部分のための構成を運ぶ無線リソース制御（RRC）シグナリングを送信するステップであって、
前記1つ以上の帯域幅部分の各々のための前記構成が、numerology、開始周波数領域位置、周波数領域長、および動的グラントなしの送信のためのリソース構成を含む、ステップと、
前記BSによって、前記1つ以上の帯域幅部分のうちの帯域幅部分の前記リソース構成に従って動的グラントなしのアップリンク送信を受信するステップと
を含む、方法。
【請求項１８】
前記リソース構成が、スロット内の開始シンボル位置および期間を示すミニスロット構成を含む、請求項17に記載の方法。
【請求項１９】
前記1つ以上の帯域幅部分のうちの前記帯域幅部分が、前記RRCシグナリングによって示されるアクティブ化帯域幅部分である、請求項17に記載の方法。
【請求項２０】
前記BSによって、ダウンリンク制御情報（DCI）シグナリングを送信するステップであって、前記1つ以上の帯域幅部分のうちの前記帯域幅部分が、前記DCIによって示されるアクティブ化帯域幅部分である、ステップをさらに含む、請求項17に記載の方法。
【請求項２１】
前記1つ以上の帯域幅部分が、初期アクティブ化帯域幅部分を含む、請求項17に記載の方法。
【請求項２２】
基地局、BS、であって、
プロセッサと、
前記プロセッサに接続されたメモリであって、前記メモリが、実行されたときに前記プロセッサに、
1つ以上の帯域幅部分のための構成を運ぶ無線リソース制御（RRC）シグナリングを送信させ、
前記1つ以上の帯域幅部分の各々のための前記構成が、numerology、開始周波数領域位置、周波数領域長、および動的グラントなしの送信のためのリソース構成を含み、
前記1つ以上の帯域幅部分のうちの帯域幅部分の前記リソース構成に従って動的グラントなしのアップリンク送信を受信させる
命令を含む、メモリと
を備える、BS。
【請求項２３】
前記リソース構成が、スロット内の開始シンボル位置および期間を示すミニスロット構成を含む、請求項22に記載のBS。
【請求項２４】
前記1つ以上の帯域幅部分のうちの前記帯域幅部分が、前記RRCシグナリングによって示されるアクティブ化帯域幅部分である、請求項22に記載のBS。
【請求項２５】
前記BSによって、ダウンリンク制御情報（DCI）シグナリングを送信するステップであって、前記1つ以上の帯域幅部分のうちの前記帯域幅部分が、前記DCIによって示されるアクティブ化帯域幅部分である、ステップをさらに含む、請求項22に記載のBS。
【請求項２６】
前記1つ以上の帯域幅部分が、初期アクティブ化帯域幅部分を含む、請求項22に記載のBS。
【発明の詳細な説明】
【技術分野】
【０００１】
関連出願の参照
本出願は、2017年4月3日に提出された、「ワイヤレス通信システムのリソース構成のための方法およびシステム」と題された米国仮出願第62／481，112号、2017年4月21日に提出された、「ワイヤレス通信システムのリソース構成のための方法およびシステム」と題された米国仮出願第62／488，529号、2017年5月17日に提出された、「ワイヤレス通信システムのリソース構成のための方法およびシステム」と題された米国仮出願第62／507，679号、および2017年11月17日に提出された「ワイヤレス通信システムのリソース構成のための方法およびシステム」と題された米国特許出願第15／816，441号の利益を主張し、これらの出願の全体は、参照により本明細書に組み込まれる。
【０００２】
本開示は、ワイヤレス通信システムのリソース構成のためのシステムおよび方法に関する。
【背景技術】
【０００３】
一部のワイヤレス通信システムでは、ユーザ機器（UE）は、基地局にデータを送信し、および／または基地局からデータを受信するために基地局とワイヤレスで通信する。UEから基地局へのワイヤレス通信は、アップリンク通信と呼ばれる。基地局からUEへのワイヤレス通信は、ダウンリンク通信と呼ばれる。
【０００４】
アップリンクおよびダウンリンク通信を実行するためにはリソースが必要とされる。例えば、UEは、特定の周波数でおよび／または特定の時間スロット中にアップリンク送信で基地局にデータをワイヤレスで送信し得る。使用される周波数およびタイムスロットは、リソースの例である。
【０００５】
一部のワイヤレス通信システムでは、UEが基地局にデータを送信したい場合、UEは、基地局からアップリンクリソースを要求する。基地局は、アップリンクリソースを許可し、次に、UEは、許可されたアップリンクリソースを使用してアップリンク送信を送信する。基地局によって許可され得るアップリンクリソースの例は、アップリンク直交周波数分割多重アクセス（OFDMA）フレーム内の時間周波数位置のセットである。
【０００６】
基地局は、許可されたアップリンクリソースを使用してアップリンク送信を送信するUEの識別情報を認識しているが、これは、基地局がそれらのアップリンクリソースをそのUEに特に許可したためである。しかしながら、基地局が、もしあればどのUEかを、また特定のアップリンクリソースを使用してアップリンク送信をいつ送信するかを知らない方式があり得る。例は、UEが、リソースの使用を特に要求せず、また基地局によってリソースを動的に許可されることなく、UEによって共有される特定のアップリンクリソースを使用してアップリンク送信を送信し得るグラントフリーアップリンク送信方式である。したがって、基地局は、もしあればどのUEかを、また事前に構成されたリソースを使用してグラントフリーアップリンク送信をいつ送信するかを知らない。グラントレス、グラントフリーランダムアクセス、構成されたグラント送信、事前に構成されたグラント送信、（事前に）構成された自律送信、（動的）グラントなしの（UL）送信、および拡張半永続スケジューリング（SPS）などの複数の用語が、グラントフリー送信と同じことを意味するために使用され得る。
【発明の概要】
【０００７】
グラントなしの送信のためのリソース構成のための方法および装置が提供される。
【課題を解決するための手段】
【０００８】
一実施形態では、第1のUEは、基地局から第1のRRC信号を受信する。第1のRRC信号は、第1のUEのためにグラントなしの送信のための構成パラメータの第1のサブセットを指定する。第1のUEはまた、基地局から第1のDCI信号を受信し得る。第1のDCI信号は、第1のUEのためにグラントなしの送信のための構成パラメータの第2のサブセットを指定し得る。第2のUEは、基地局から第2のRRC信号を受信する。第2のRRC信号は、グラントなしの送信のための1つ以上の構成パラメータを指定し得る。
【０００９】
一部の実施形態では、第1のRRC信号によって指定される、構成パラメータの第1のサブセットは、グラントなしの送信のためのリソース周期性を含み得る。第1のDCI信号によって指定される、構成パラメータの第2のサブセットは、グラントなしの送信のために予約されたUL時間／周波数リソース、グラントなしの送信のための変調および符号化方式（MCS）パラメータ、ならびにグラントなしの送信のための復調基準信号（DMRS）構成のうちの1つ以上を含み得る。
【００１０】
一部の実施形態では、第1のUEは、第1のRRC信号および第1のDCI信号における、グラントなしの送信のための構成パラメータに従ってグラントなしの第1の送信を実行し得る。任意選択で、一実施形態では、第1のUEは、第1のRRC信号で指定された、グラントなしの送信のための構成パラメータの第1のサブセットおよび第1のDCI信号で指定された、グラントなしの送信のための構成パラメータの第2のサブセットに従ってグラントなしの第1のUL送信を実行し得る。
【００１１】
任意選択で、一実施形態では、第2のRRC信号によって指定される1つ以上の第2のUE構成パラメータは、グラントなしの送信に予約されたアップリンク（UL）周波数リソース、開始時間基準、リソース周期性、のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの1つ以上を含み得る。第2のRRC信号において、グラントなしの送信のための時間リソースサイズパラメータは、データ送信間隔（TTI）のアクセス可能な開始位置およびアクセス可能な終了位置を含み得る。データTTIは、シンボル、ミニスロット、およびスロットのうちの1つであり得る。「ミニスロット」という用語は、「非スロット」とも呼ばれ得る。ここでのTTIは、アップリンク（UL）および／またはダウンリンク（DL）で制御情報を送信することにも適用可能である。
【００１２】
任意選択で、一部の実施形態では、第2のRRC信号によって指定される1つ以上の第2のUE構成パラメータは、グラントなしの送信のための送信numerology、サブバンド分割、およびサブバンド位置を含み得る。一実施形態では、グラントなしの送信のための送信numerology、サブバンド分割、およびサブバンド位置は、明示的または暗黙的なブロードキャストシグナリングによって事前に構成される。別の実施形態では、グラントなしの送信のための送信numerology、サブバンド分割、およびサブバンド位置は、RRCシグナリングによって事前に構成され得る。
【００１３】
任意選択で、一部の実施形態では、第2のRRC信号の1つ以上の第2のUE構成パラメータは、1つ以上のアクティブ帯域幅部分としてアクティブ化される、またはサービングセルの1つ以上のデフォルトアクティブ帯域幅部分として定義される1つ以上の帯域幅部分を指定し得る。
【００１４】
一部の実施形態では、第2のUEは、第2のRRC信号によって指定された、グラントなしの送信のための構成パラメータに従ってグラントなしの第2のUL送信を実行する。一実施形態では、第2のUEのためのリソース構成のためにDCIシグナリングは必要とされない。したがって、受信された第2のRRCを用いて、第2のUEは、DCI信号を待つことなくグラントなしの第2のUL送信を実行し得る。
【００１５】
任意選択で、一部の実施形態では、第1のRRC信号および第2のRRC信号のうちの少なくとも一方は、グラントなしのUL送信のための少なくとも2つの事前に定義されたリソース構成オプションのうちの1つを示す情報を含み得る。第1の事前に定義された送信リソース構成オプションは、動的ダウンリンク制御情報（DCI）および非DCIシグナリングベースのシグナリング（例えば、RRCシグナリング）の組み合わせであり得る。第1のUEによって受信される第1のRRC信号は、第1のUEがRRC構成およびDCI／レイヤ1シグナリング構成の組み合わせを受信することを示し得る。第2の事前に定義された送信リソース構成オプションは、非DCIシグナリング（例えば、RRCシグナリング）ベース構成であり得る。第2のUEによって受信される第2のRRC信号は、第2のUEが非DCIシグナリングベース構成を受信することを示し得る。
【００１６】
任意選択で、一部の実施形態では、非DCIシグナリングベース構成の場合、UEは、基地局からのRRC信号またはDCI信号で構成パラメータの更新を受信し得る。例えば、第2のUEは、第2のRRC信号によって指定された、グラントなしの送信のための1つ以上の構成パラメータを更新するための情報を含む第3のRRC信号を受信し得る。別の例では、第2のUEは、第2のRRC信号によって指定された、グラントなしの送信のための1つ以上の構成パラメータを更新するための情報を指定する第2のDCI信号を受信し得る。更新を受信した後、第2のUEは、グラントなしの送信のための更新された1つ以上の構成パラメータに従ってグラントなしのUL送信を実行し得る。
【００１７】
任意選択で、一実施形態では、UEは、グラントなしのデータ送信またはグラントなしの制御メッセージ送信を実行するためにグラントなしの送信のための構成パラメータを使用し得る。例えば、第1のUEは、グラントなしの送信のための構成パラメータの第1のサブセットおよび第2のサブセットに従ってグラントなしの第1のUL送信を実行し得、グラントなしの第1のUL送信は、データ送信、制御メッセージ送信、または両方の組み合わせであり得る。別の例では、第1のUEは、第2のRRC信号によって指定される、グラントなしの送信のための1つ以上の構成パラメータに従ってグラントなしの第2のUL送信を実行し得、グラントなしの第2のUL送信は、データ送信、制御メッセージ送信、または両方の組み合わせであり得る。
【００１８】
任意選択で、一実施形態では、非アクティブまたはアイドル状態にあるとき、第1のUEは、基地局から、グラントなしの送信のための1つ以上の構成パラメータを指定するブロードキャスト信号を受信し得る。グラントなしの送信のための1つ以上の構成パラメータは、グラントなしの送信のために予約されたUL周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第1のUEは、ブロードキャスト信号によって指定された、グラントなしの送信のための1つ以上の構成パラメータに従ってUL送信を実行し得る。
【００１９】
任意選択で、別の実施形態では、非アクティブまたはアイドル状態にあるとき、第1のUEは、基地局から、グラントなしの送信のための1つ以上の構成パラメータを指定するマルチキャスト信号を受信し得る。グラントなしの送信のための1つ以上の構成パラメータは、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第1のUEは、マルチキャスト信号によって指定された、グラントなしの送信のための1つ以上の構成パラメータに従ってUL送信を実行し得る。
【００２０】
任意選択で、一実施形態では、非アクティブまたはアイドル状態にあるとき、第2のUEは、基地局から、グラントなしの送信のための1つ以上の構成パラメータを指定するブロードキャスト信号を受信し得る。グラントなしの送信のための1つ以上の構成パラメータは、グラントなしの送信のために予約されたUL周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第2のUEは、グラントなしの送信のための1つ以上の構成パラメータに従ってUL送信を実行し得、1つ以上の構成パラメータは、ブロードキャスト信号によって指定される。
【００２１】
任意選択で、別の実施形態では、非アクティブまたはアイドル状態にあるとき、第2のUEは、基地局から、グラントなしの送信のための1つ以上の構成パラメータを指定するマルチキャスト信号を受信し得る。グラントなしの送信のための1つ以上の構成パラメータは、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第2のUEは、マルチキャスト信号によって指定された、グラントなしの送信のための1つ以上の構成パラメータに従ってUL送信を実行し得る。
【００２２】
一実施形態では、基地局は、第1の無線リソース制御（RRC）信号を第1のUEに送信する。第1のRRC信号は、第1のUE構成パラメータの第1のサブセットを指定する。基地局はまた、第1のDCI信号を第1のUEに送信し得る。第1のDCI信号は、第1のUE構成パラメータの第2のサブセットを指定し得る。基地局は、第2のRRC信号を第2のUEに送信する。第2のRRC信号は、1つ以上の第2のUE構成パラメータを指定する。
【００２３】
一部の実施形態では、グラントなしの送信のための第1のUE構成パラメータの第1のサブセットは、グラントなしの送信のためのリソース周期性を含み得る。グラントなしの送信のための第1のUE構成パラメータの第2のサブセットは、グラントなしの送信のために予約されたUL時間／周波数リソース、グラントなしの送信のための変調および符号化方式（MCS）パラメータ、ならびにグラントなしの送信のための復調基準信号（DMRS）構成のうちの1つ以上を含み得る。
【００２４】
一部の実施形態では、基地局は、第1のRRC信号および第1のDCI信号における、グラントなしの送信のための構成パラメータに従って第1のUEからグラントなしの第1のUL送信を受信する。任意選択で、一実施形態では、基地局は、第1のRRC信号で指定された、グラントなしの送信のための構成パラメータの第1のサブセットおよび第1のDCI信号で指定された、グラントなしの送信のための構成パラメータの第2のサブセットに従ってグラントなしの第1のUL送信を受信し得る。
【００２５】
任意選択で、一実施形態では、第2のRRC信号は、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの1つ以上を含み得る。第2のRRC信号において、グラントなしの送信のための時間リソースサイズパラメータは、データ送信間隔（TTI）のアクセス可能な開始位置およびアクセス可能な終了位置を含み得る。データTTIは、シンボル、ミニスロット、およびスロットのうちの1つであり得る。「ミニスロット」という用語は、「非スロット」とも呼ばれ得る。ここでのTTIは、アップリンク（UL）および／またはダウンリンク（DL）で制御情報を送信することにも適用可能である。
【００２６】
一部の実施形態では、基地局は、第2のRRC信号における、グラントなしの送信のための構成パラメータに従って第2のUEからグラントなしの第2のUL送信を受信する。一実施形態では、第2のUEのためのリソース構成のためにDCIシグナリングは必要とされない。したがって、送信された第2のRRCを用いて、基地局は、DCI信号を第2のUEに送信することを待つことなく第2のUEからグラントなしの第2のUL送信を受信し得る。
【００２７】
任意選択で、一部の実施形態では、第1のRRC信号および第2のRRC信号のうちの少なくとも一方は、グラントなしのUL送信のための少なくとも2つの事前に定義されたリソース構成オプションのうちの1つを示す情報を含み得る。第1の事前に定義された送信リソース構成オプションは、動的ダウンリンク制御情報（DCI）および非DCIシグナリングベースのシグナリング（例えば、RRCシグナリング）の組み合わせであり得る。基地局によって送信される第1のRRC信号は、第1のUEがRRC構成およびDCI／レイヤ1シグナリング構成の組み合わせを受信することを示し得る。第2の事前に定義されたリソース構成オプションは、非DCIシグナリング（例えば、RRCシグナリング）ベース構成であり得る。基地局によって送信される第2のRRC信号は、第2のUEが非DCIシグナリングベース構成を受信することを示し得る。
【００２８】
任意選択で、一部の実施形態では、非DCIシグナリングベース構成の場合、基地局は、RRC信号またはDCI信号で構成パラメータの更新をUEに送信し得る。例えば、基地局は、第2のRRC信号によって指定される、グラントなしの送信のための1つ以上の構成パラメータを更新するための情報を含む第3のRRC信号を第2のUEに送信し得る。別の例では、基地局は、第2のRRC信号によって指定される、グラントなしの送信のための1つ以上の構成パラメータを更新するための情報を指定する第2のDCI信号を第2のUEに送信し得る。更新を送信した後、基地局は、グラントなしの送信のための更新された1つ以上の構成パラメータに従ってグラントなしのUL送信を受信し得る。
【００２９】
本開示は、従来のシステムに勝る技術的改善を伴うより多くの技術的特徴を提供する。1つのシステムでは、LTE SPSの設計は、トラフィックが周期的で予測可能である音声サービスを対象とする。本開示の実施形態は、超高信頼低レイテンシ通信（URLLC）、拡張モバイルブロードバンド（eMBB）、ならびに周期的および非周期的なトラフィックを伴う大規模マシンタイプ通信（mMTC）などのより多くのアプリケーションおよびサービスをサポートし、ネットワークシステムにおいて小さなパケット、低レイテンシ、および／または高い信頼性をサポートするための柔軟な技術を提供し、その場合、UEは、デバイス機能およびアプリケーション要件のいずれかに基づいて、異なる送信オプションを使用するように構成であり得る。したがって、説明されている技術は、ネットワークリソースのより効率的な利用でネットワークシステムを改善する。
【００３０】
次に、本開示およびその利点のより完全な理解のために、添付図面に関連して以下の説明が参照される。
【図面の簡単な説明】
【００３１】
【図１】通信システムのブロック図である。
【図２】アップリンクGF送信リソースを構成するための方法のフローチャートである。
【図３】フォーマットAおよびフォーマットBの、RRCシグナリングの2つのフォーマットの例を示す。
【図４Ａ】ULスケジューリング要求（SR）なしのデータ送信モードAのフローチャートである。
【図４Ｂ】ULスケジューリング要求（SR）なしのデータ送信モードBのフローチャートである。
【図４Ｃ】ULスケジューリング要求（SR）なしのデータ送信モードCのフローチャートである。
【図４Ｄ】ULスケジューリング要求（SR）なしのデータ送信モードDのフローチャートである。
【図５】2つのUEがグラントなしの送信のためのリソースを構成するための方法のフローチャートである。
【図６】基地局がグラントなしの送信のためのリソースを構成するための方法のフローチャートである。
【図７Ａ】例示的なワイヤレス通信デバイスのブロック図である。
【図７Ｂ】例示的な基地局のブロック図である。
【図８】本明細書で説明されている方法を実行するための処理システムのブロック図である。
【発明を実施するための形態】
【００３２】
図1は、例示的な通信システム100を示す。一般に、システム100は、複数のワイヤレスまたは有線ユーザがデータおよび他のコンテンツを送信および受信することを可能にする。システム100は、符号分割多重アクセス（CDMA）、時分割多重アクセス（TDMA）、周波数分割多重アクセス（FDMA）、直交FDMA（OFDMA）、またはシングルキャリアFDMA（SC−FDMA）などの1つ以上のチャネルアクセス方法を実施し得る。
【００３３】
この例では、通信システム100は、ユーザ機器（UE）110a〜110c、無線アクセスネットワーク（RAN）120a〜120b、コアネットワーク130、公衆交換電話網（PSTN）140、インターネット150、および他のネットワーク160を含む。特定の数のこれらの構成要素または要素が、図1に示されているが、システム100には、任意の数のこれらの構成要素または要素が含まれてもよい。
【００３４】
UE110a〜110cは、システム100内で動作および／または通信するように構成される。例えば、UE110a〜110cは、ワイヤレスまたは有線の通信チャネルを介して送信および／または受信するように構成される。各UE110a〜110cは、任意の適切なエンドユーザデバイスを表し、ユーザ機器／デバイス（UE）、ワイヤレス送信／受信ユニット（WTRU）、移動局、固定もしくは移動加入者ユニット、携帯電話、携帯情報端末（PDA）、スマートフォン、ラップトップ、コンピュータ、タッチパッド、ワイヤレスセンサ、または家電製品などのデバイスを含み得る（またはと呼ばれ得る）。
【００３５】
ここでのRAN120a〜120bは、それぞれ基地局170a〜170bを含む。各基地局170a〜170bは、コアネットワーク130、PSTN140、インターネット150、および／または他のネットワーク160へのアクセスを可能にするために1つ以上のUE110a〜110cとワイヤレスでインタフェースするように構成される。例えば、基地局170a〜170bは、基地トランシーバ局（BTS）、ノードB（NodeB）、発展型ノードB（eNodeB）、ホームNodeB、ホームeNodeB、サイトコントローラ、アクセスポイント（AP）、ワイヤレスルータ、または送受信ポイント（TRP）などのいくつかの周知のデバイスのうちの1つ以上を含み（またはであり）得る。UE110a〜110cは、インターネット150とインタフェースし、通信するように構成され、コアネットワーク130、PSTN140、および／または他のネットワーク160にアクセスし得る。
【００３６】
図1に示されている実施形態では、基地局170aは、他の基地局、要素、および／またはデバイスを含み得るRAN120aの一部を形成する。また、基地局170bは、他の基地局、要素、および／またはデバイスを含み得るRAN120bの一部を形成する。各基地局170a〜170bは、場合により「セル」と呼ばれる特定の地理的領域またはエリア内でワイヤレス信号を送信および／または受信するように動作する。一部の実施形態では、各セルに複数のトランシーバを有する多入力多出力（MIMO）技術が採用されてもよい。
【００３７】
基地局170a〜170bは、ワイヤレス通信リンクを使用して1つ以上のエアインタフェース190を介して1つ以上のUE110a〜110cと通信する。エアインタフェース190は、任意の適切な無線アクセス技術を利用してもよい。
【００３８】
システム100が、上で説明されているような方式を含む多重チャネルアクセス機能を使用し得ることが考えられる。特定の実施形態では、基地局およびUEは、LTE、LTE−A、および／またはLTE−Bを実施する。もちろん、他の多重アクセス方式およびワイヤレスプロトコルが利用されてもよい。
【００３９】
RAN120a〜120bは、UE110a〜110cに音声、データ、アプリケーション、ボイスオーバインターネットプロトコル（VoIP）、または他のサービスを提供するためにコアネットワーク130と通信する。当然ながら、RAN120a〜120bおよび／またはコアネットワーク130は、1つ以上の他のRAN（図示せず）と直接的または間接的に通信し得る。コアネットワーク130は、他のネットワーク（PSTN140、インターネット150、および他のネットワーク160など）のためのゲートウェイアクセスとしても機能し得る。加えて、UE110a〜110cの一部または全部は、異なるワイヤレス技術および／またはプロトコルを使用して異なるワイヤレスリンクを介して異なるワイヤレスネットワークと通信するための機能を含み得る。ワイヤレス通信の代わりに（またはそれに加えて）、UEは、有線通信チャネルを介してサービスプロバイダまたはスイッチ（図示せず）およびインターネット150と通信してもよい。
【００４０】
図1は通信システムの一例を示しているが、図1に対しては様々な変更が行われ得る。例えば、通信システム100は、任意の適切な構成の任意の数のUE、基地局、ネットワーク、または他の構成要素を含んでもよい。
【００４１】
グラントフリーアップリンク送信は、場合により「グラントレス」、「スケジュールフリー」、もしくは「スケジュールレス」送信、またはグラントなしの送信と呼ばれる。異なるUEからのグラントフリーアップリンク送信は、同じ指定されたリソースを使用して送信され得、その場合、グラントフリーアップリンク送信は、競合ベース送信である。グラントフリーアップリンク送信は、UEから基地局に短いパケットでバーストトラフィックを送信すること、および／またはリアルタイムもしくは低レイテンシで基地局にデータを送信することに適し得る。グラントフリーアップリンク送信方式が利用され得るアプリケーションの例は、大規模マシンタイプ通信（m−MTC）、超高信頼低レイテンシ通信（URLLC）、スマート電気メータ、スマートグリッドにおけるテレプロテクション、および自動運転を含む。しかしながら、グラントフリーアップリンク送信方式は、これらのアプリケーションに限定されない。
【００４２】
グラントフリー送信が送信されるアップリンクリソースは、「グラントフリーアップリンクリソース」と呼ばれる。例えば、グラントフリーアップリンクリソースは、OFDMAフレーム内の指定された領域であり得る。UEは、そのグラントフリーアップリンク送信を送信するために、指定された領域を使用し得るが、基地局は、もしあればどのUEが指定された領域でグラントフリーアップリンク送信を送信するかを知らない。
【００４３】
グラントフリーアップリンクリソースは、事前に定義されてもよく、例えば、UEおよび基地局の両方に事前に知られてもよい。グラントフリーアップリンクリソースは静的であってもよく（決して変更されなくてもよく）、またはグラントフリーアップリンクリソースは準静的に構成されてもよい。準静的構成は、それが一度構成されて、多くのフレームに一度など、ゆっくりと更新／変更されるだけであるか、または必要に応じてのみ更新され得ることを意味する。準静的な変更は、準静的な変更が動的な変更ほど頻繁に行われない点で動的な変更と異なる。例えば、動的な変更／更新は、サブフレームごとまたは少数のサブフレームごとの変更を指す場合があり、準静的な変更は、いくつかのOFDMフレームごとに一度のみ行われる変更、数秒ごとに一度行われる変更、または必要な場合のみの更新を指す場合がある。
【００４４】
一部の実施形態では、グラントフリーアップリンクリソースは事前に構成されてもよく、例えば、複数の可能な事前に定義されたグラントフリーアップリンクリソースパーティションがあってもよく、基地局またはネットワークは、事前に定義されたグラントフリーアップリンクリソースパーティションのうちの1つを準静的に選択し、使用されているグラントフリーアップリンクリソースパーティションをUEにシグナリングしてもよい。一部の実施形態では、基地局および／またはUEは、それらの製造中に、例えば、製造中にロードされる事前に定義されたテーブルによって、どのアップリンクリソースをグラントフリーアップリンクリソースとして使用するかを知るように構成されてもよい。一部の実施形態では、グラントフリーアップリンクリソースは、基地局によって、例えば、ブロードキャストシグナリング、上位レイヤシグナリング（RRCシグナリング）、および動的シグナリング（例えば、DCIシグナリングまたは同等にL1シグナリング）の組み合わせを使用して準静的に構成されてもよい。グラントフリーアップリンクリソースを動的にシグナリングすることによって、基地局またはネットワークは、UEのシステムトラフィック負荷に適応し得る。例えば、グラントフリーアップリンク送信を送信し得る、サービスされているより多くのUEがある場合、より多くのグラントフリーアップリンクリソースが割り当てられてもよい。一部の実施形態では、ネットワーク内の制御ノード（例えば、コンピュータ）が、使用されるグラントフリーアップリンクリソースを決定してもよい。次に、ネットワークは、グラントフリーアップリンクリソースを基地局およびUEに示してもよい。一部の実施形態では、グラントフリーモードで動作するUEは、割り当てられた送信リソースを決定するために、1）RRCシグナリング情報およびシステム情報、または2）RRCシグナリング情報およびDCI情報、または3）RRCシグナリング情報、システム情報、およびDCI情報を組み合わせるように準静的に構成されてもよい。
【００４５】
メッセージは、アップリンクチャネルを介したグラントフリーアップリンク送信でUEによって送信され得る。メッセージは、多重アクセス（MA）リソースを使用して送信される。MAリソースは、MA物理リソース（例えば、時間周波数ブロック）および少なくとも1つのMA署名を含む。MA署名は、以下のうちの少なくとも1つ、すなわち、コードブック／コードワード、シーケンス、インターリーバおよび／もしくはマッピングパターン、パイロット、復調基準信号（例えば、チャネル推定のための基準信号）、プリアンブル、空間次元、または電力次元のうちの少なくとも1つを含み得る（が、これらに限定されない）。「パイロット」という用語は、基準信号、例えば復調基準信号を少なくとも含む信号を指す。基準信号は、MA署名であり得る。一部の実施形態では、パイロットは、場合によりチャネル推定指向プリアンブルまたはランダムアクセスチャネル（LTEのようなRACH）プリアンブルと共に復調基準信号を含んでもよい。
【００４６】
一部の実施形態では、アップリンク送信は、スパース符号多重アクセス（SCMA）、インターリーブグリッド多重アクセス（IGMA）、マルチユーザ共有アクセス（MUSA）、低符号レート拡散、周波数領域拡散、非直交符号化多重アクセス（NCMA）、パターン分割多重アクセス（PDMA）、リソース拡散多重アクセス（RSMA）、署名ベクトル拡張による低密度拡散（LDS−SVE）、低符号レートおよび署名ベースの共有アクセス（LSSA）、非直交符号化アクセス（NOCA）、インターリーブ分割多重アクセス（IDMA）、繰り返し分割多重アクセス（RDMA）、またはグループ直交符号化アクセス（GOCA）などの非直交多重アクセス（NOMA）を使用してもよい。使用される多重アクセス方法に応じて、MA署名は、異なる形式をとり得る。MA署名は、多重アクセス方法に使用される特定のフォーマットに関連し得る。例えば、SCMAが使用される場合、アップリンク送信のためのMA署名は、アップリンク送信に使用されるSCMAコードブックであってもよい。別の例として、IGMAが使用される場合、アップリンク送信のためのMA署名は、アップリンク送信に使用されるIGMAの署名、インターリーブパターン、またはグリッドマッピングであってもよい。
【００４７】
グラントフリー（GF）アップリンク送信を行うために、UEは、完全なUL GF送信リソース情報を有さなければならない。一般に、GF情報の一部は、基地局からのブロードキャストシステム情報から取得され得る。他のGFリソース情報については、UEに割り当てるためのいくつかのオプションがある。
【００４８】
5Gでは、超高信頼低レイテンシ通信（URLLC）、拡張モバイルブロードバンド（eMBB）、大規模マシンタイプ通信（mMTC）の3つすべてのアプリケーションタイプが、GF送信を使用することが可能である。
【００４９】
図2は、GF送信リソースをUEに割り当てるための2つの可能なオプションを示す。例として、UE1 110aは、RRCおよびDCIシグナリングの組み合わせを使用するオプション1をとり、UE2 110bは、RRCシグナリングのみを使用するオプション2をとる。UEがとるオプションは、デフォルトのものであり得るかもしくはUEがネットワークにアクセスするときに決定され得るか、またはブロードキャストシステム情報から直接とられ得るか、またはUE固有のシグナリングから決定され得ることに留意されたい。オプションの選択は、システム負荷、チャネル状況、トラフィックタイプ（例えば、周期的または非周期的）、アプリケーションタイプ（URLLC、eMBB、mMTC）、パケットサイズなどに応じてオプション1からオプション2にまたはその逆に変更され得る。選択されたオプションは、準静的または動的に調整され得る。本開示によれば、オプション1およびオプション2、またはより多くのGFシグナリングオプションは、グラントフリー送信のためのリソース構成を提供するために共存し得る。さらに、一部のチャネル、例えば、UE固有のPDCCHまたはグループ共通PDCCHチャネルなどのあるACK／NACKフィードバックチャネルは、同じユーザまたは異なるユーザのグラントフリーおよびグラントベース送信によって共有され得る。したがって、1つのシグナリングメッセージは、グラントフリーおよびグラントベース構成情報の両方を含み得る。
【００５０】
ステップ201で、UE1は、システムへの初期アクセスを実行する。
【００５１】
ステップ202で、基地局（BS170）は、UE1のためにGFリソース構成オプションを選択する。この例では、オプション1が、UE1のために選択される。
【００５２】
ステップ203で、BSは、RRC構成およびDCI／レイヤ1シグナリング構成の組み合わせ（オプション1）がUE1のために選択されたことをUE1に通知する。UE1は、その初期アクセスの直後にこの通知を得てもよく、またはBSによるブロードキャスト情報からこの通知を得てもよく、または事前に定義されたこの通知を得てもよく、またはダウンリンク制御情報（DCI）もしくは無線リソース制御（RRC）シグナリングもしくは任意の種類の非DCIシグナリングなどのUE固有のシグナリングまたはマルチキャストシグナリングからこの通知を得てもよい。したがって、オプション1は一般に、非DCIシグナリングおよびDCIシグナリングの割り当ての組み合わせにおけるシグナリング方式である。本明細書で使用されるとき、非DCIシグナリングは、RRC、ブロードキャスト、もしくはマルチキャスト、これらのうちの任意の2つの組み合わせ、または3つの組み合わせであり得る。
【００５３】
ステップ204で、オプション1の場合、リソース構成情報の一部、例えば周期性情報が、非DCIシグナリング（ブロードキャスト、マルチキャスト、またはRRCなど）を介してBSからUE1に送信される。他の実施形態では、周期性は1に設定され得、これは、任意のリソースがDCIシグナリングによって割り当てられ、そのリソースが、UEによって任意のタイムスロットで、すなわち使用に関して時間制限なしの周波数領域リソースで使用され得、一方、UEがそのバッファにデータを有さない場合、ユーザは何も送信せず、ユーザの繰り返しおよび再送信は、DCIシグナリングによって構成された／割り当てられた同じまたは異なるリソースを使用し得ることを意味する。
【００５４】
ステップ205で、オプション1の場合、リソース構成情報の別の部分が、DCI（PDCCHと略されるPhysical Downlink Control Channel（物理ダウンリンク制御チャネル））またはグループ共通PDCCHシグナリングを介してBSからUE1に送信される。DCIシグナリングは、以下の情報、すなわち、周波数領域のGFリソースサイズ、リソースホッピングパターン、実際の時間／周波数／RSリソースまたはリソースインデックスの明示的または暗黙的なシグナリング、UE固有（例えば、固定値）またはリソース固有（例えば、異なるリソースのMCSホッピングパターン）の変調および符号化方式（MCS）、TTIバンドルサイズと組み合わされ得る、UE固有の繰り返し数Kのうちの少なくともいずれか1つを含み得るが、これらに限定されない。1つ以上のMCS方式および／または1つ以上のK値が、1つのユーザに対して構成され得る。UEリソースは、DCIタイプ動的シグナリング構成によっていつでも更新もしくは変更または非アクティブ化され得、一方、UEは、動的シグナリング構成に肯定応答し得るか、または肯定応答しなくてもよい。
【００５５】
ステップ206で、UE1は、ステップ204および205から、構成されたすべてのUL GF送信リソースおよび場合によりもしあればブロードキャストシグナリングを収集する。
【００５６】
ステップ207で、UE1およびBSは、構成されたリソースおよびトラフィックの到着に基づいてGF送信および対応する応答を行う。
【００５７】
ステップ208で、BSは、非DCIシグナリングまたはDCIシグナリングによって構成情報を終了または非アクティブ化し得る。UEが、DCI終了または非アクティブ化信号を受信した場合、DCI構成から取得された情報が破棄され、UEは、GF送信の前に別のDCI構成を待つか、または別のオプションのシグナリングもしくはデフォルトオプションへのフォールバックを待つ必要があると想定され得、その場合、DCIリソースの終了または非アクティブ化は、データを送信することのない構成可能な期間にわたるUEのサイレント状態など、複数の要因に基づき得る。
【００５８】
UE2は、同様のステップをとるが、それは、オプション2のシグナリング方式をとり、その場合、GFリソース構成は、非DCIシグナリングのみによって達成される。
【００５９】
ステップ251で、UE2は、システムへの初期アクセスを行う。
【００６０】
ステップ252で、BSは、UE2のためにGFリソース構成オプションを選択する。この例では、オプション2が、UE2のために選択される。
【００６１】
ステップ253で、BSは、非DCIシグナリング構成（オプション2）がUE2のために選択されたことをUE2に通知する。UE2は、その初期アクセスの直後にこの通知を得てもよく、またはBSによるブロードキャスト情報からこの通知を得てもよく、または事前に定義されたこの通知を得てもよく、またはダウンリンク制御情報（DCI）もしくは無線リソース制御（RRC）シグナリングもしくは任意の種類の非DCIシグナリングなどのUE固有のシグナリングまたはマルチキャストシグナリングからこの通知を得てもよい。オプション2は、非DCIシグナリングのみを含み、リソース構成のためにDCIシグナリングを必要としない。
【００６２】
ステップ254で、オプション2の場合、リソース構成情報は、非DCIシグナリング（ブロードキャスト、マルチキャスト、またはRRCなど）、例えば、時間／周波数およびRSリソース、時間領域および／もしくは周波数領域のリソースインデックスならびに／またはさらには基準信号に基づく1つ以上のホッピングパターン、1つ以上のMCS、1つ以上の繰り返し係数Kなどの少なくとも一部の組み合わせとして定義される競合送信ユニット（CTU）を介してBSからUE2に送信される。別の実施形態では、GFリソース構成は、ユーザごとまたはセルごとベースであり得、1つ以上のRS、MCS、またはKは、GFリソースごとベースであり得る。リソースおよびパラメータの構成は、非DCIシグナリングによって準静的に、および／またはDCIシグナリングによって動的に更新され得、両方のシグナリング方式が適用される場合、規則またはプロトコルは、例えば、何が変化するか、および適用可能な期間（1つのTTIまたは永久）などの適用範囲、および現在の送信ブロックの有無などの観点から決定されるべきである。
【００６３】
ステップ255で、UE2は、254から、構成されたすべてのUL GF送信リソースおよび場合によりもしあればブロードキャストシグナリングを収集する。
【００６４】
ステップ256で、UE2およびBSは、構成されたリソースおよびトラフィックの到着に基づいてGF送信および対応する応答を行う。
【００６５】
オプション1のUE1は、DCIを監視しなければならず、UE1は、DCI構成に含まれる情報なしではGF送信を行い得ない。オプション2のUE2は、DCIを監視する必要がなく、UE2は、非DCIシグナリングベースのGFリソース構成の受信直後にGF送信を実行し得る。一部の他のシナリオでは、UE2は、DCI構成／アクティブ化なしでGF送信を実行し得るが、それでも制御シグナリングのためにDCIを監視してもよい。
【００６６】
オプション2の場合、リソースを終了または非アクティブ化するステップを有する必要はない。オプション2は、非周期的なULトラフィックにより適しており、一方、オプション1は、周期的なトラフィックにより適している。しかし、どちらにしても厳密な制限はない。オプション1を用いた非周期的送信またはオプション2を用いた周期的送信も可能である。UEが、非周期的トラフィックおよび周期的トラフィックの両方を有する場合、UEが両方のオプションをとることも可能である。一部の実施形態では、オプション2の場合にも、GFリソースは、準静的に（例えば、RRCを介して）または動的に（例えば、DCIを介して）終了／非アクティブ化され得る。
【００６７】
システムでは、異なるユーザがリソース構成を取得するために異なるオプションを有し得ること、または同じユーザが、1つのシグナリング方式を有し、次に、システムのトラフィックタイプおよび負荷ならびにユーザアプリケーションシナリオおよび要件などの要因に基づいて別のシグナリング方式に切り替え得ることが可能である。また、GFユーザは、グラントベース送信と同時にも構成され得、その場合、グラントベース送信に使用される構成シグナリングは、GFシグナリング方式と同じまたは異なり得る。
【００６８】
両方のオプションについて、構成オプションは、セル固有またはUE固有またはグループ固有であり得る。このオプションシグナリングが、オプション情報を任意の他の情報からマッピングすることによって暗黙的であり得ることも可能であり、それは、以下のうちのいずれかであり得るが、それらに限定されず、すなわち、デバイスタイプ、UE ID、または周期性情報に基づいて事前に定義され得る。例えば、RRCシグナリングが、周期性情報のみを示す場合、1つのUEは、それがオプション1であることを知るが、これは、それが、さらなるリソース構成および／またはアクティブ化のためにDCIを待ち、周期性に従って送信のためのリソースにアクセスする必要があるためである。一方、RRCシグナリングが、グラントフリー送信に必要とされる十分なリソース情報（ブロードキャストリソース情報と組み合わされる場合も組み合わされない場合もある）を既に含んでいる場合、1つのUEは、それがオプション2であること知り、DCIを待つ必要がない。その意味では、ステップ203／253はない。これに対応して、1つのUEは、RRCがGF送信に必要とされる十分なリソース構成情報（ブロードキャストリソース情報と組み合わされる場合も組み合わされない場合もある）を含むかどうかをチェックすることによって、シグナリングオプションがオプション1または2のどちらであるかを決定し得る。例えば、リソース構成が、割り当てられた各リソースの周波数位置またはサイズ（例えば、物理リソースブロック（PRB）または仮想リソースブロック（VRB）の数）を含まない場合、それは、オプション1の使用を示す、すなわち、それは、リソース構成のために補足的なDCIシグナリングを必要とする。リソース構成が、割り当てられた各リソースの周波数位置またはサイズ（例えば、物理リソースブロック（PRB）または仮想リソースブロック（VRB）の数を含む場合、それは、オプション2の使用を示す、すなわち、それは、リソース構成のために補足的なDCIシグナリングを必要としない。
【００６９】
一実施態様では、GF UEのためのデフォルトオプションがある場合、オプション1またはオプション2のいずれでも、ステップ202／252および後続のステップは、システム負荷、またはチャネル状況、トラフィックタイプ（例えば、周期的または非周期的）、アプリケーションタイプ、パケットサイズなどの変化でトリガされる。デフォルトオプションの場合、明示的な指示も必要ない。その場合、選択されたオプションが、ステップ202／252でデフォルトオプションと同じである場合、ステップ203／253はなく、それが暗黙的シグナリングとも見なされ得る。
【００７０】
UEは、例えばステップ201／251または他のステップで、どのシグナリングオプションを使用するかに関するその優先を明示的または暗黙的に（例えば、アプリケーションタイプまたはトラフィックタイプによって）示すことも可能である。
【００７１】
オプション1およびオプション2の両方では、一部の共通情報（UE固有でない）が、RRCまたはDCIの代わりにブロードキャストまたはマルチキャストシグナリングでシグナリングされ得る。例えば、GFリソースユニットまたは競合送信ユニット（CTU）の定義は、すべてのUEに共通であり得、その結果、情報は、ブロードキャストまたはマルチキャストシグナリングで、例えばシステム情報ブロック（SIB）で指定され得る。GF送信のための全リソース領域もまた、ブロードキャストまたはマルチキャストシグナリングで、例えばSIBでシグナリングされ得る。
【００７２】
図2では、2つのオプションが説明されたが、システムで2つより多くのオプションがサポートされる場合、説明されたオプション通知方式が依然として適用される。
【００７３】
グラントフリーおよびグラントベースリソース
新しい無線（NR）ワイヤレスシステムでは、ユーザは、例えばアプリケーションおよび／またはデバイスのタイプおよび要件に応じて、グラントベースおよび／またはグラントフリー送信として構成され得る。通常、グラントフリー送信は、ユーザ接続セットアップ時にリソース（事前）構成を必要とし、送信中にリソースの再構成または更新を有し得る。一部の実施形態では、グラントフリーリソースは、一部のシナリオでは、例えば、非アクティブまたはアイドルモードではブロードキャストまたはマルチキャストシグナリングによってユーザのために構成され得る。2つ以上のグラントフリー送信は、同じ構成されたリソースを共有し得、グラントベース送信は、専用リソースを使用し得るか、または時間間隔でグラントフリーリソースと（全体的にまたは部分的に）競合し得る。
【００７４】
関連するアプリケーション要件およびサービス品質（QoS）に応じて、任意のアプリケーショントラフィックまたはサービスタイプには、グラントフリーおよびグラントベース送信のいずれかが使用され得る。例えば、グラントフリー送信は、非常に低いレイテンシ要件を満たすために、ある程度のURLLCトラフィックを用いてユーザのために使用され得、それは、シグナリングオーバヘッドを抑えるために、eMBBトラフィックの短いパケットを用いてユーザのために使用され得、グラントベース送信は、適度なレイテンシ要件の場合にある程度のURLLCトラフィックを用いてユーザのために使用され得、それは、リンク適応を動的に活用し、リソース利用およびスペクトル効率を高めるために、eMBBトラフィックを用いてユーザのために使用され得る。
【００７５】
1つのユーザまたはユーザグループは、共通のまたは同じパラメータおよび／またはリソース構成を共有するためにグループIDまたはRNTI（例えば、GF−RNTI、GB−RNTI）を使用し得る。グループIDは、各ユーザに事前に定義、ブロードキャスト／マルチキャスト通知、事前に構成、または動的に構成され得、グループIDを有するユーザに対するパラメータまたはリソース構成は、ブロードキャスト、マルチキャスト、RRCシグナリング、および／または動的DCIベースシグナリング（例えば、ユーザ固有DCIまたはグループ共通PDCCH）によって行われ得る。一実施形態では、グループIDを使用する共通のリソース／パラメータ構成を有する各UEは、UEのための事前定義、事前構成、または事前マッピング方法によって、他のUEと区別するためにDMRSなどのその固有または一意のパラメータを有し得る。一部の実施形態では、グループIDは、例えば、グループ内のユーザのリソースの非アクティブ化および／またはアクティブ化に使用され得、その場合、リソースは、グループ内の各ユーザに関連付けられた周波数、時間、基準信号（RS）を含む。
【００７６】
グラントフリー送信のために構成されるリソースおよびパラメータ
グラントフリー送信をサポートするために、ユーザまたはユーザグループのために構成される関連リソースは、以下を含み、すなわち、1）TTI（例えば、シンボル、ミニスロット、またはスロット）の周波数リソースおよびサイズ、すなわち、ユーザまたはユーザグループがブロードキャストまたはマルチキャストシグナリングからサブバンド分割およびキャリア帯域幅情報を受信したと想定される場合、仮想開始RBおよびサイズを示し、周波数ホッピングに関連付けられた仮想リソースブロック（VRB）方式または物理開始RBおよびサイズを示す物理RB（PRB）方式のいずれか；2）1つのデータ送信時間間隔（例えば、TTIは1つのシンボル、ミニスロット、またはスロットであり得る）のアクセス可能な開始／終了位置および時間間隔リソース周期性（例えば、0はすべての期間リソースを表し、1は1つおきのTTIリソースを表し、2は2つおきのTTIリソースを表すなど）および開始時間基準（例えば、サブフレームの最初のシンボル）を含む時間リソースおよび期間；3）RSまたはRS構成、各ユーザはシナリオに応じて1つ以上の基準信号（RSまたはDMRS）を用いて構成され得、例えば、初期送信RSは、潜在的なHARQ信号の組み合わせおよび検出のために送信ブロック（TB）のユーザ初期および再送信を識別するために再送信RSと異なり得、一実施形態では、ユーザには、初期送信のために1つのRSが（事前に）構成され得るかもしくは割り当てられ得、一方、ユーザ再送信RSは、事前に構成されたマッピング規則または事前に定義されたマッピングのいずれかから導出され得るか、またはRSのセットはそれぞれ初期および再送信に対して明示的に（事前に）構成され得るかもしくは割り当てられ得る。さらに、異なる基準信号は、異なるUL送信ポートおよび／もしくは異なるULビームをも識別し得、または異なるUL RSは、異なるDLビームのどれが強い信号強度で受信されたかを示し得る。ユーザグループの場合、各ユーザは、異なるRSまたは異なるRSセットを有する場合も有さない場合もある。異なるアプリケーションなどのシナリオ、例えばURLLCまたはmMTCサービスに応じて、異なるRSは直交または非直交であり得ることに留意されたい；4）2つのパラメータを含むUE／UEグループ固有のホッピングパラメータ。1
つは、ホッピングパターンサイクル期間であり、アクセス可能な時間間隔リソース周期性（例えば、2TTI）に基づいて、パターンを再度（例えば、10）繰り返す前に行うホッピング数（例えば、10回）が決定され得る絶対基準期間（例えば、それ自体を繰り返す前の20TTI）または絶対ホッピング回数（例えば、それ自体を繰り返す前に20回ホッピングする）のいずれか。もう1つは、ホッピングパターンインデックスまたは複数のホッピングパターンインデックスであり、1つのユーザは、1つ以上のホッピングパターンインデックスを有し得る；5）ユーザごとの1つ以上のHARQプロセスID。TBの送信開始からの最大再送信回数またはタイマは、HARQバッファに関連付けられたTBの送信が一定期間成功しなかった場合にHARQバッファをフラッシュするように定義または構成され得る；6）ユーザごとの1つ以上のMCS、グラントフリーユーザは、例えば、ユーザのための構成されたMCSの中で異なるMCSを表すために異なるパイロットを使用して、またはユーザおよび基地局の両方に知られている事前に構成されたMCSに関連付けられた事前に構成されたGFリソースを使用して、またはデータ送信の前またはデータ送信と同時にどのMCSが使用中かを示すためにUL制御チャネルを使用して、どのMCSを送信に使用するかを明示的または暗黙的に示し得る；7）繰り返し数K、1つ以上のK値は、ユーザのために構成され得、その場合、どのK値を使用するかは、ユーザチャネル状況、サービスタイプなどの特定の規則に依存する；8）グラントフリーリソースの有効な使用を制御するための少なくとも2つのパラメータ：1つは、アクティブ化／非アクティブ化／解放を有効にする場合にフラグ、例えばF1として使用され（例えば、0：無効、1：有効）、1つは、アクティブ化／非アクティブ化ステータスを示すフラグ、例えばF2として使用される（例えば、0：非アクティブ化、1：アクティブ化）；9）不連続受信（DRX）オフ期間中にパケット到着時にデータ送信のためにグラントフリーユーザが起動するまたは起動しないことを有効にする場合の指示を含む1つの構成のためのパラメータ；10）電力ランピングステップサイズ（例えば、ビームの）を含む電力制御パラメータ； 11）numerology（例えば、サブキャリア間隔およびC
Pタイプ／オーバヘッド）、1つの帯域幅部分の帯域幅、帯域幅部分の開始周波数位置などをそれぞれに含む1つ以上の帯域幅部分（BWP）構成。これらのパラメータは、BWP構成、アクティブまたはデフォルトアクティブBWPのアクティブ化、および／またはBWPの非アクティブ化／からの切り替え（および非アクティブ化）／への切り替え（およびアクティブ化）に使用され得る；12）波形タイプ、例えばCP−OFDMまたはDFT−s−OFDM；13）一般的なグラントベースデータおよび制御送信に関連付けられた情報を含む他のパラメータ。場合により、グラントフリーリソースのサブセットは、「固定」または「予約」リソースと呼ばれ得、一方、グラントベースリソースのサブセットは、基地局によって動的にスケジュールされ得る「柔軟な」リソースと呼ばれ得ることに留意されたい。
【００７７】
グラントベース送信をサポートするために、ユーザアクセスリソースは通常、ユーザリソースが、一度動的にスケジュールされるが、SPSにおけるDCIもしくはレイヤ1（L1）のアクティブ化またはバンドリングもしくは繰り返しを伴う送信など、1つより多くの間隔に使用され得る場合を除いて、すべての時間間隔で動的にスケジュールされる。グラントベースリソースは、必ずしも、グラントベース送信の前にユーザのために事前に構成される必要はなく、これは、グラントフリーリソース構成と異なる。
【００７８】
一部の実施形態では、グラントフリーリソースは、データ送信、制御メッセージ送信（ユーザ専用のもしくはユーザグループによって共有される）、または制御およびデータ送信の両方の組み合わせのために構成され得る。例えば、拡張スケジューリング要求（SR）は、要求レイテンシを低減するために、複数のユーザによって共有される場合も共有されない場合もあるグラントフリーリソースを使用するように設計され得る。SR、UEフィードバック、測定レポート（例えば、ビーム測定レポート、CSI−RSベースの測定レポート、DM−RSベースの測定レポート）などの制御メッセージのためにのみ構成されるグラントフリーリソースの場合、グラントフリーリソースは、複数のユーザによって共有される場合も共有されない場合もある。別の実施形態では、グラントフリーリソースは、ULサウンディング基準信号（SRS）または追跡信号に関して1つ以上のユーザのために構成され得、例えば、ユーザは、非周期的SRS信号を送信するためにグラントフリーリソースを使用し得る。他の実施形態では、グラントベースリソースは、グラントフリーサービスの要求を含み得るUL制御信号によって使用され得、例えば、専用PUCCHチャネルのスケジューリング要求（SR）は、GFリソース構成、グラントフリータイプのトラフィックのアクティブ化または再構成、およびグラントフリー送信を要求するための、基地局への指示を含み得る。さらに、SRはまた、要求メッセージ内の情報、例えば、ULグラントフリー送信に関する、使用される（新しい）MCSおよびnumerologyパラメータの指示、送信されるパケットサイズ、残っている電力ヘッドルームなどを含み得る。
【００７９】
グラントフリーおよびグラントベース共有シグナリング
グラントフリー送信の特性により、システム設計は、グラントフリー送信のためのいくつかの特定のタイプのシグナリング、例えば、ユーザまたはユーザグループのためのグラントフリーリソースのRRC構成、ユーザ非アクティブまたはアイドルモードにおけるグラントフリーリソース構成、1つ以上のユーザのグラントフリーリソースのアクティブ化、非アクティブ化、および／または解放が許可され得るかどうかを示すパラメータなどの、グラントフリー送信の制御または管理のためのいくつかの特定のメカニズムを考慮しなければならない。
【００８０】
一般に、グラントフリーおよびグラントベース送信およびユーザは、リソースおよび／またはパラメータ構成のために、制御およびデータ送信のための最小限のシステム情報、例えば、ブロードキャスト（明示的または暗黙的）またはRRCシグナリングからのnumerologyおよびサブバンド分割パラメータ構成、DCIからのMCS更新などを含む、DCI、RRC、LTEのようなRAR、およびブロードキャストなどの1つ以上の共通タイプの制御シグナリングを共有し得る。共有シグナリングフォーマットは、LTEグラントベースのものまたはNRグラントベースフォーマットと同じであり得、または共有シグナリングフォーマットは、グラントベースシグナリングフォーマットから変更されたコマンドフォーマットもしくはグラントベースおよびグラントフリー送信構成のための整合シグナリングフォーマットであり得る。
【００８１】
一部の実施形態では、1つ以上の共通タイプの制御シグナリングは、グラントフリーおよびグラントベース送信の両方で機能する同じフォーマットを有し得る。例えば、グラントベース送信制御のための同じシグナリングフォーマットが、グラントフリー送信制御に使用され得、例えば、異なる値を有するフォーマットの1つ以上の情報ビットは、グラントフリーまたはグラントベース送信のタイプ／ユーザ／リソースの観点から送信を示し得るが、シグナリングフォーマットは、送信リソースおよび／またはパラメータの同じ制御コンテキスト、例えば、RS、MCS、DRX構成を伴うリソース割り当ておよびRRC非アクティブ／アイドルモードの構成などを提供し得る。
【００８２】
他の実施形態では、1つ以上の共通タイプの制御シグナリングは、グラントベースシグナリングフォーマットに加えて追加のグラントフリー制御要件を考慮することによって整合フォーマットを有し得る。例えば、より多くのオプションを示すために、グラントフリーシグナリングもしくは制御コンテキストを含む、グラントベースシグナリングフォーマットの1つ以上のパラメータ／要素の情報ビット長を増やすか、またはグラントフリー送信のための特定の制御コンテキストを含めるためにグラントベースシグナリングフォーマットに要素を追加する。共有シグナリングの制御コンテキストがグラントベースおよびグラントフリーの送信の両方で同じであれば、最も効率的であり、他の場合では、共有および共通シグナリングの同数の制御コンテキスト（例えば、RS、MCS）が、グラントベースおよびグラントフリー送信の両方のシグナリング設計で考慮されなければならない。
【００８３】
特定のグラントフリーシグナリングおよび共有シグナリングの設計に関するこれらの考慮により、グラントフリーおよびグラントベース送信の共存は、不可欠なネットワークとなり、非常に効果的かつ効率的に動作する。
【００８４】
グラントフリーリソース構成オプションA：RRCベースの方式
RRCシグナリングによってユーザまたはユーザグループのためにグラントフリー（GF）リソースを構成する前に、グラントフリー送信numerology、サブバンド分割、サブバンド位置、任意選択で、グラントフリーユーザのグループIDなどのいくつかの関連するグラントフリー情報が、基地局からユーザにブロードキャストまたはマルチキャストされ得、その場合、これらのグラント情報は、一般的なグラントベース送信のための他の共通のブロードキャスト／マルチキャスト情報と一緒に送信され得る。
【００８５】
接続セットアップを伴うユーザネットワークエントリ中に、RRCシグナリングは、グラントフリーユーザまたはグラントフリーユーザグループ（グループIDを有する）のために、時間／周波数／RS、ホッピング、HARQプロセス、MCS、およびK、ならびに以下のパラメータを含む、前の段落で説明されたGFリソースおよびパラメータを構成する。
【００８６】
グラントフリーリソースの有効な使用を制御するための、リソースのアクティブ化および非アクティブ化に関連付けられた2つのパラメータが構成され、1つは、アクティブ化／非アクティブ化／解放を有効にすることが許可されているかどうかを示すためのフラグ、例えばF1として使用され（例えば、0：無効、1：有効）、これは、動的なリソースのアクティブ化、非アクティブ化、および／解放のためにL1シグナリングを適用できる構成可能な機能であり、1つは、アクティブ化／非アクティブ化ステータスを示すためのフラグ、例えばF2として使用される（例えば、0：非アクティブ化、1：アクティブ化）。F1が無効に設定されると、F2は、任意の値（0または1）に設定され得、グラントなしのUL送信が、L1のアクティブ化なしでUEによって実行され得る。F1が有効に設定されると、F2は、リソースアクティブ化の真または偽ステータスを示すために使用され得、その場合、F2がアクティブ化値（1）であることは、グラントなしのUL送信が、（L1／DCIのさらなるアクティブ化なしで）準静的構成後にUEによって実行され得、それが、URLLCアプリケーションおよびサービスの構成に少なくとも使用され得ることを意味し、F2が非アクティブ化値（0）であることは、グラントなしのUL送信が、データ送信を開始する前に、さらなるL1アクティブ化シグナリングを待たなければならず、それが、VoIPアプリケーションなどの周期的なトラフィックの構成に使用され得ることを意味する。
【００８７】
DRXパラメータが構成され得、その場合、グラントフリーユーザの挙動は、グラントベースユーザと同じ場合も同じでない場合もある。グラントフリーDRXの挙動に固有の少なくとも1つ以上のパラメータは、データ送信のDRXオフ期間中のパケット到着時にグラントフリーユーザが早期に起動することを許可されているかどうかを示すように定義され得る。
【００８８】
準静的なリソース構成の後、RRCシグナリングは、時間／周波数／RS、ホッピング、HARQプロセス、MCS、およびK、リソースのアクティブ化および非アクティブ化に関連付けられた2つのパラメータ、ならびにDRXパラメータを含む、前の段落で説明されたGFリソースおよびパラメータに関してグラントフリーユーザまたはグラントフリーユーザグループ（グループIDを有する）のために準静的な再構成を実行する。
【００８９】
ユーザの観点から、グラントフリーユーザは、グラントフリーユーザがデータ送信のDRXオフ期間中のパケット到着時に早期に起動するように構成および許可されているかどうかに応じて、基地局からのDRXコマンドMAC CEの受信時にDRX非アクティブタイマおよびonDurationタイマを停止する場合も停止しない場合もある。
【００９０】
このオプションでは、デフォルトで、F1は「無効」に設定されるか、またはRRCシグナリングによってF1は「有効」に設定され、F2は「アクティブ化」に設定される。結果として、グラントなしのUL送信は、L1アクティブ化なしの、RRCによる準静的なリソース構成の後にUEによって実行され得る。
【００９１】
グラントフリーリソース構成オプションB：アクティブ化／非アクティブ化ベースの方式
この方式では、グラントフリーリソースは、グラントフリーユーザがULデータ送信を開始する前に上位レイヤ／RRCシグナリングおよびL1／グループ共通PDCCHシグナリングの両方によって構成される。
【００９２】
RRCリソース構成に関して、それは、グラントフリーリソース構成オプションA：RRCベースの方式のセクションで提供されているものと同じである。
【００９３】
グループ共通PDCCHベースシグナリングに関して、シグナリングのパラメータまたはコンテンツは、ユーザリソースのアクティブ化／非アクティブ化／解放、ACK／NACKフィードバック、またはグラントフリーおよび／もしくはグラントベースユーザからのULデータ送信に対する肯定応答を含む。さらに、L1シグナリングは、例えばMCS、K、電力制御などのリンクパラメータの更新も実行し得る。
【００９４】
このオプションでは、デフォルトで、F1は「有効」に設定され、これは、グラントフリー構成のためのL1アクティブ化および非アクティブ化を許可し、F2は、RRCによって「非アクティブ化」に設定される。結果として、RRCによる準静的なリソース構成の後、グラントフリーユーザは、ULグラントフリー送信の前にL1またはグループ共通PDCCHアクティブ化シグナリングを待つ必要がある。
【００９５】
グラントフリーリソース構成オプションC：アクティブ化／非アクティブ化ベースの方式
この方式では、グラントフリーリソースは、グラントフリーユーザがULデータ送信を開始する前に上位レイヤ／RRCシグナリングおよびL1／DCI（またはUE固有のPDCCH）シグナリングの両方によって構成される。
【００９６】
RRCリソース構成に関して、それは、グラントフリーリソース構成オプションA：RRCベースの方式のセクションで提供されているものと同じである。
【００９７】
DCIベースシグナリングに関して、シグナリングのパラメータまたはコンテンツは、ユーザリソースのアクティブ化／非アクティブ化／解放を含む。さらに、L1／DCIシグナリングは、例えばMCS、K、電力制御などのリンクパラメータの更新も実行し得る。
【００９８】
このオプションでは、デフォルトで、F1は「有効」に設定され、これは、グラントフリー構成のためのL1アクティブ化および非アクティブ化を許可し、F2は、RRCによって「非アクティブ化」に設定される。結果として、RRCによる準静的なリソース構成の後、グラントフリーユーザは、ULグラントフリー送信の前にL1またはDCIアクティブ化シグナリングを待つ必要がある。
【００９９】
グラントフリーリソース構成オプションD：アクティブ化／非アクティブ化ベースの方式
この方式では、グラントフリーリソースは、グラントフリーユーザがULデータ送信を開始する前に上位レイヤ／RRCシグナリングおよびL1／DCIシグナリングの両方によって構成される。
【０１００】
RRCリソース構成に関して、それは、グラントフリーリソース構成オプションA：RRCベースの方式のセクションで提供されているものと同じである。
【０１０１】
この場合、グラントフリー送信は、L1／DCIスケジュールおよびグラントシグナリングによって一時的または永続的にグラントベース送信に切り替えられ得、その場合、1つのパラメータが、このTB送信のみに関するものなど、切り替えタイプ、またはグラントベース送信に永続的に切り替えることを示すために定義され得る。一部の実施形態では、ユーザTBのグラントフリー送信は、L1／DCIスケジュールおよびグラントシグナリングによってユーザTBに関してグラントベース送信に切り替えられ得、その場合、一時的な切り替えが想定される。一部の実施形態では、グラントベース送信は、例えば、グラントフリー送信要求を示すためにグラントベースユーザからのスケジューリング要求を使用して、グラントフリー送信に切り替えられ得る。他の実施形態では、グラントベース送信ユーザは、要求レイテンシを抑えるために、スケジューリング要求のためにグラントフリーリソースをとり得、その場合、SRは、トラフィックタイプ、バッファサイズ、numerology、グラントフリーまたはグラントベース送信タイプ、および新しいMCS選択などの要求情報を含み得る。別の実施形態では、グラントフリーリソースは、SR、ULフィードバック、測定レポートなどを含む制御メッセージの送信のために1つ以上のユーザによって排他的に使用され得る。
【０１０２】
DCIベースシグナリングに関して、シグナリングのパラメータまたはコンテンツは、ユーザリソースの非アクティブ化／解放／再アクティブ化、ACK／NACKフィードバック、またはグラントフリーおよび／もしくはグラントベースユーザからのULデータ送信に対する肯定応答を含む。さらに、L1／DCIシグナリングは、例えばMCS、K、電力制御などのリンクパラメータの更新も実行し得る。
【０１０３】
このオプションでは、デフォルトで、F1は「有効」に設定され、F2は、RRCによって「アクティブ化」に設定される。結果として、グラントなしのUL送信は、L1／DCIアクティブ化なしの、RRCによる準静的なリソース構成後にUEによって実行され得るが、DCIシグナリングは、進行中のグラントフリー送信をグラントベース送信に切り替えることができ、またグラントフリーリソースの非アクティブ化、解放、もしくは再アクティブ化（またはリソース解放シグナリング後のグラントフリーリソース構成による再アクティブ化）を適用することができる。
【０１０４】
グラントフリーリソース構成オプションE：アクティブ化／非アクティブ化ベースの方式
この方式では、グラントフリーリソースは、グラントフリーユーザがULデータ送信を開始する前に、上位レイヤ／RRCシグナリングおよびL1／DCI（またはUE固有のPDCCH）シグナリングの両方によって構成され、その場合、すべての関連するグラントフリーリソースは、RRCシグナリングおよびL1シグナリングによって別々に構成される2つの部分に分割される。
【０１０５】
一部の実施形態では、L1シグナリングによって構成される、時間／周波数／MCS／繰り返し数Kのグラントフリーリソースを除いて、他のリソースは、グラントフリーリソース構成オプションA：RRCベースの方式のセクションで説明されたものと同様の方法でRRCシグナリングによって構成され得る。他の実施形態では、グラントフリーリソース構成オプションA：RRCベースの方式のセクションにリストされているグラントフリーリソースは、まったく異なる方法で2つの部分に分割され得、例えば、RS、ホッピングパターン、およびHARQプロセスも、L1／DCIシグナリングによって構成され得る。
【０１０６】
DCIベースシグナリングに関して、シグナリングのパラメータまたはコンテンツは、ユーザリソースのアクティブ化／非アクティブ化／解放を含む。一部の実施形態では、DCIは、ユーザまたはユーザグループ（同じグループIDを有する）のために時間／周波数／MCS／繰り返し数Kのグラントフリーリソースも構成し得、他の実施形態では、DCIは、ユーザまたはユーザグループのために時間／周波数／MCS／繰り返し数Kに加えてRS、ホッピングパターン、およびHARQプロセスのグラントフリーリソースも構成し得る。さらに、L1／DCIシグナリングは、例えばMCS、K、電力制御などのリンクパラメータの更新も実行し得る。
【０１０７】
このオプションでは、デフォルトで、F1は「有効」に設定され、これは、グラントフリー構成のためのL1アクティブ化および非アクティブ化を許可し、F2は、RRCによって「非アクティブ化」に設定される。結果として、RRCによる準静的なリソース構成の後、グラントフリーユーザは、ULグラントフリー送信の前にL1またはDCIアクティブ化シグナリングを待つ必要がある。
【０１０８】
グラントフリーリソース構成オプションF：RRC構成およびDCI／レイヤ1シグナリング方式の組み合わせ
この方式では、グラントフリーリソースは、グラントフリーユーザがULデータ送信を開始する前に、上位レイヤ／RRCシグナリングおよびL1／DCI（またはUE固有のPDCCH）シグナリングの両方によって構成され、その場合、すべての関連するグラントフリーリソースは、RRCシグナリングおよびL1シグナリングによって別々に構成される2つの部分に分割される。
【０１０９】
一部の実施形態では、時間／周波数／MCS／繰り返し数K、RS、ホッピングパターン、およびHARQプロセスのグラントフリーリソースは、ユーザまたはユーザグループ（同じグループIDを有する）のためにDCI／L1シグナリングによって構成され、他のリソースは、グラントフリーリソース構成オプションA：RRCベースの方式のセクションで説明されたものと同様の方法でRRCシグナリングによって構成され得る。さらに、RRCは、周期性パラメータおよびリソース使用タイマなども構成し、URLLCサービスの場合、周期性は、小さな数（例えば、1）に設定され得、リソースタイマは、大きな数（例えば、無限）に設定され得る。
【０１１０】
DCIベースシグナリングに関して、シグナリングのパラメータまたはコンテンツは、ユーザリソースのアクティブ化／非アクティブ化／解放を含む。さらに、L1／DCIシグナリングは、例えばMCS、K、電力制御などのリンクパラメータの更新も実行し得る。
【０１１１】
このオプションでは、デフォルトで、F1は「有効」に設定され、これは、グラントフリー構成のためのL1アクティブ化および非アクティブ化を許可し、F2は、RRCによって「非アクティブ化」に設定される。結果として、RRCによる準静的なリソース構成の後、グラントフリーユーザは、ULグラントフリー送信の前にL1またはDCIアクティブ化シグナリングを待つ必要がある。
【０１１２】
リソース構成シグナリングのコンフリクトおよび解決
ユーザのために構成されたグラントフリーリソースまたはリソースグループは、準静的な方法、動的な方法、および両方の方法の組み合わせでアクティブ化、非アクティブ化、解放、再構成、および／更新され得る。準静的な方法は、RRC、ブロードキャスト、マルチキャスト、および／または他などの基地局シグナリングを使用することを含み、動的な方法は、ユーザ固有のDCI、グループ共通PDCCH、および／または他などのシグナリングを使用することを含む。
【０１１３】
しかしながら、L1／動的シグナリングおよび上位レイヤシグナリングは、例えば、同じパラメータに異なる値を適用してまたは同じユーザに対立する動作指示を適用して、ユーザリソース／パラメータを構成、再構成、および／更新するときにコンフリクトを有し得る。これは、同じリソース、パラメータ、および／またはグラントフリーユーザに適用可能な、L1および上位レイヤ制御メッセージからの異なるタイプのシグナリングの可能性による。例えば、準静的／上位レイヤシグナリングは、MCS、MCSiを再構成するために使用され得、動的／L1シグナリングは、同じ時間間隔でユーザまたはリソースの異なるMCS、MCSkを更新するために使用され得る。この場合、ユーザがあいまいさなく命令に従い得るように、コンフリクト解決規則が事前に定義または事前に構成されなければならず、例えば、シグナリングコンフリクトにより2つの異なるMCSが示されている場合、より堅牢なMCSが使用されるか、またはDCI／L1シグナリングが、準静的シグナリングを上書きし得るか、または準静的シグナリングが、動的／L1シグナリングを上書きし得るか、または後のシグナリングが、前のシグナリングなどを上書きし得るなどである。
【０１１４】
DRXを伴うRRC接続モードでのグラントフリーユーザの挙動
RRC接続状態のグラントフリー送信ユーザは、グラントフリーリソース構成とは無関係であり得るDRX方式によってDRX構成を適用し得、例えば、現在のLTE DRXまたはNR DRXの構成およびシグナリング手順は、グラントベース送信のDRX構成と同じ方法で、グラントフリー送信に使用され得る。グラントフリーユーザが、RRC接続状態でグラントフリーリソースを構成したとき、DRXオン／オフサイクル中の構成されたグラントフリーリソースに関するユーザの挙動および基地局の処理は以下で説明される。
【０１１５】
UEの観点からは、それは、それがDRXオン期間にあった後、必要な場合に、その構成されたグラントフリーリソースをすぐに使用し得る。任意選択で、それは、パケット到着時の、グラントフリーデータ送信のための、DRXオフ期間中の起動を有効にするように構成され得、この場合、UEの挙動は、現在のDRX動作で円滑に機能するように、メカニズムをどのように設計するかに関して定義されなければならない（例えば、DRXオン／オフサイクルへの影響が記述されなければならず、少なくとも、1ビットの一時的なDRXユーザオンパラメータ（この早期の起動を有効にするまたは有効にしないための）およびデータ送信後のそのアクティブ期間の定義が必要とされるなど）。
【０１１６】
基地局の観点からは、DRXオフ期間のグラントフリーユーザのグラントフリーリソースは、他のトラフィックまたはユーザによって使用される場合も使用されない場合もあり、これは、実施の課題となるはずである。グラントフリーユーザがDRXオフ期間中に（データの到着時に）データ送信のために起動することを許可する場合、設計に応じて、基地局は、それが（DRXサイクルで）グラントフリーユーザのグラントフリーリソースで送信するために他のユーザまたはトラフィックを「借用」およびスケジュール／許可しようとし得る場合に関してより良いアイデアを有し得る。
【０１１７】
ユーザは、DL制御チャネルのnumerologyに関してスロット、ミニスロット、またはOFDMシンボルの観点からDRXオン期間のDL制御チャネルを監視するように構成され得るが、これは、すべてのタイプのユーザおよび／また使用ケースに適用され得ない。
【０１１８】
非アクティブまたはアイドルモードにおけるグラントフリーリソース構成
グラントフリーおよび／またはグラントベース送信を有するユーザは、ユーザの電力またはエネルギーを抑えるために、非アクティブまたはアイドルモードのいずれかに入るようにそのRRC接続および少なくとも物理時間／周波数リソースを解放するために非アクティブタイマを適用し得、その場合、RRC接続リソース／コンテキストは部分的にしかまたはまったく維持され得ない。
【０１１９】
一部の実施形態では、UEは、グラントフリー送信を使用してRRC接続モードへの状態遷移なしで小さなデータを送信し得る。グラントフリーリソースは、グループID、例えば、DL送信のためのページングIDと同じである場合も同じでない場合もあるアップリンク送信のためのユーザグループごとのグループRNTIを有するユーザグループにブロードキャストまたはマルチキャストされ得る。グループIDは、ユーザ初期ネットワークエントリまたは接続セットアップ中にユーザのために事前に定義または事前に構成され得る。同じグループIDを有するユーザグループは、それらに対して構成された同じ時間および周波数リソース（ならびに任意選択でMCS、Kなど）を共有し得るが、各ユーザのためのRSは異なり得、これは、ユーザ（例えば、そのUE IDを使用する）を、事前に定義されたRSプール内のまたはRSプールからランダムに選択された1つ以上のRSにマッピングすることによって事前に定義され得る。さらに、ユーザグループのページング／DRXパラメータ（Tc、nB）も、ブロードキャストによって構成され得るが、UE固有のDRXサイクル（TUE）は、非アクセス層（NAS）シグナリングを介して構成され得る。
【０１２０】
他の実施形態では、時間／周波数／RSならびにMCS、K、およびPCなどの他のパラメータを含む、非アクティブまたはアイドルモードのグラントフリーリソースは事前に定義され得る。別の実施形態では、非アクティブ状態またはアイドルモードのユーザは、そのRRC接続状態のリソースおよび／またはパラメータ構成の全部または一部をとるように構成可能であり得るか、または任意選択でこれをとり得る。
【０１２１】
一部の実施形態は、構成および制御のための共有シグナリングを用いてグラントフリーおよびグラントベース送信を提供する。一般に、グラントフリーおよびグラントベース送信およびユーザは、リソースおよび／またはパラメータ構成のために、DCI、RRC、ブロードキャストなどの1つ以上の共通タイプの制御シグナリング、例えば、ブロードキャストまたはRRCシグナリングからのnumerologyおよびサブバンド分割パラメータ構成、DCIからのMCS更新などを共有し得る。共有シグナリングフォーマットは、LTEグラントベースのものまたはNRグラントベースフォーマットと同じであり得、または共有シグナリングフォーマットは、グラントベースシグナリングフォーマットから変更されたコマンドフォーマットもしくはグラントベースおよびグラントフリー送信構成のための整合シグナリングフォーマットであり得る。
【０１２２】
一部の実施形態は、レイテンシを低減するためにグラントフリーリソースを使用するスケジューリング要求を含む。一部の実施形態では、グラントフリーリソースは、データ送信、制御メッセージ送信（ユーザ専用のもしくはユーザグループによって共有される）、または制御およびデータ送信の両方の組み合わせのために構成される。例えば、拡張スケジューリング要求（SR）は、要求レイテンシを低減するために、複数のユーザによって共有される場合も共有されない場合もあるグラントフリーリソースを使用するように設計される。SR、UEフィードバック、または測定レポートなどの制御メッセージのためにのみ構成されるグラントフリーリソースの場合、グラントフリーリソースは、複数のユーザによって共有される場合も共有されない場合もある。
【０１２３】
一部の実施形態は、上記のグラントフリーリソース構成オプションB〜Fのセクションで説明されているように、構成可能なDCIおよび／またはRRCベースのリソースのアクティブ化、非アクティブ化、または解放を伴うRRCによってグラントフリーリソース構成を提供する。
【０１２４】
一部の実施形態は、L1およびDCIからの二重制御によりリソース構成シグナリングコンフリクトの解決を提供する。L1シグナリングおよび上位レイヤシグナリングは、例えば、同じパラメータに異なる値を適用すると、または同じユーザにコンフリクトする動作指示を適用するとコンフリクトを有し得る。これは、同じリソース、パラメータ、および／またはグラントフリーユーザに適用可能な、L1および上位レイヤ制御メッセージからの異なるタイプのシグナリングの可能性による。例えば、準静的／上位レイヤシグナリングは、MCS、MCSiを再構成するために使用され得、動的／L1シグナリングは、同じ時間間隔でユーザまたはリソースの異なるMCS、MCSkを更新する。この場合、ユーザがあいまいさなく命令に従うように、コンフリクト解決規則が事前に定義または事前に構成されなければならず、例えば、シグナリングコンフリクトにより2つの異なるMCSが示されている場合、より堅牢なMCSが使用されるか、またはDCI／L1シグナリングが、準静的シグナリングを上書きし得るか、または準静的シグナリングが、動的／L1シグナリングを上書きし得るか、または後のシグナリングが、前のシグナリングなどを上書きし得るなどである。
【０１２５】
一部の実施形態は、DRXを伴うRRC接続モードでグラントフリーユーザの挙動を提供する。一部の実施形態は、非アクティブまたはアイドルモードでグラントフリーリソース構成を提供する。
【０１２６】
グラントフリーリソース構成オプションG：
基地局は、アップリンクデータおよび／または制御情報を送信するためにグラントフリー送信方式を適用するUEまたはUEグループのためにグラント料リソースおよび／またはパラメータを構成する。基地局は、RRCシグナリングを介してUEまたはUEグループのためにグラントフリーリソースおよびパラメータを構成する。グラントフリーリソースは、時間周波数リソースを少なくとも含む。グラントフリーパラメータは、以下のうちの少なくとも1つ、すなわち、RSパラメータ、MCSインデックス（または複数のMCSインデックス）または同等の送信ブロックサイズ、繰り返し数K、電力制御パラメータ、numerology、サブバンドオプションのうちの少なくとも1つを含む。
【０１２７】
このオプションでは、基地局は、UEのためにグラントフリーリソースおよびパラメータを構成するために2つのフォーマット（フォーマットAおよびフォーマットB）のRRCシグナリングを使用し得る。図3は、フォーマットA300およびフォーマットB302の2つのフォーマットの例を示す。例において、フォーマットA300とフォーマットB302との違いは、フォーマットB302が追加フィールド304を有することである。追加フィールド304は、1ビットまたは複数ビットを占有し得る。例として、図3の追加フィールド304は、1ビットを占有する。追加フィールド304は、フォーマットのシグナリングによって構成されるグラントフリーリソースおよびパラメータの初期状態を示すために使用され得る。初期状態は、アクティブまたは非アクティブであり得る。例えば、テーブル306が示すように、追加フィールド304の値（例えば「0」）は、「アクティブ」状態を示すために使用され、追加フィールド304の別の値（例えば「1」）は、「非アクティブ」状態を示すために使用される。追加フィールド304が「アクティブ」を示す場合、それは、基地局からのさらなるシグナリング（例えば、レイヤ1シグナリング、DCI）によってアクティブ化されることなく、グラントフリーリソースおよびパラメータが即座に使用され得ることを意味する。追加フィールド304が「非アクティブ」を示す場合、それは、グラントフリーリソースおよびパラメータが、それらをアクティブ化するためのシグナリング（例えば、レイヤ1シグナリング、DCI）がUEによって受信されたときにのみ使用され得ることを意味する。
【０１２８】
基地局が、UEのためにグラントフリーリソースおよびパラメータを構成するためにフォーマットAのシグナリングを使用する場合、UEは、受信されるRRCシグナリングによって示されるグラントフリーリソースおよびパラメータを使用してULグラントなしのUL送信を実行する。このシナリオでは、グラントフリーリソースおよびパラメータは、DCIなどのレイヤ1シグナリングによってアクティブ化されることなく、アップリンクデータを送信するためにUEによって使用され得る。言い換えれば、フォーマットAのRRCシグナリングによって構成されるグラントフリーリソースおよびパラメータはアクティブである。
【０１２９】
基地局が、UEのためにグラントフリーリソースおよびパラメータを構成するためにフォーマットBのRRCシグナリングを使用する場合、UEは、RRCシグナリングに基づいてグラントフリーリソースおよびパラメータを構成し、構成されたグラントフリーリソースおよびパラメータは、基地局からのさらなるシグナリング（例えば、レイヤ1シグナリング、DCI、RRCシグナリング）を受ける。さらなるシグナリングは、グラントフリーリソースおよびパラメータの少なくとも一部をアクティブ化、非アクティブ化、変更、または解放するために使用され得る。さらなるシグナリングが、グラントフリーリソースおよびパラメータの一部の状態に影響を与えるために使用される場合、さらなるシグナリングは、グラントフリーリソースおよびパラメータのどの部分がアクティブ化、非アクティブ化、変更、または解放される必要があるかを示す情報を含み得る。さらなるシグナリング（例えば、レイヤ1シグナリング、DCI、RRCシグナリング）は、グラントフリーリソースの少なくとも一部および／またはグラントフリーパラメータの少なくとも一部をアクティブ化、非アクティブ化、解放、更新、および／または変更するために使用され得る。
【０１３０】
例では、L1シグナリングは、リソース割り当て時間周波数サイズを含む時間および周波数リソースを少なくとも変更し得る。L1シグナリングは、グラントフリー送信の機会よりも少ない頻度で送信され得る。L1シグナリングL1は、RS、MCS、電力制御、numerology、サブバンドオプションなどの関連する送信パラメータを含む変更または更新されたパラメータで使用され得る。
【０１３１】
RRCシグナリングの追加フィールド304が、「アクティブ」状態を示す場合、グラントフリーリソースおよびパラメータは、ULグラントを取得することなくアップリンクデータを送信するために即座に使用され得る。RRCシグナリングの追加フィールド304が、「非アクティブ」状態を示す場合、グラントフリーリソースおよびパラメータは、グラントフリーリソースおよびパラメータをアクティブ化するためのさらなるシグナリング（例えば、レイヤ1シグナリング、RRCシグナリング）まではUL送信に使用され得ない。
【０１３２】
リソースおよびパラメータ更新のための可能なRRCリソース再構成およびL1シグナリングを用いて安定したグラントフリー送信を維持するために、シグナリングコンフリクト、同じTTIにおける両方のタイプのシグナリングなどの事態を回避するためにL1シグナリングおよびRRC再構成を調整するメカニズムがある。他の実施形態では、リソース変更のためのL1シグナリングの後、リソース変更のRRC再構成は、それがL1シグナリングに時間的に近すぎる（例えば、わずかなTTI）場合はスキップされ得る。
【０１３３】
グラントフリー送信のための帯域幅部分の構成およびアクティブ化／非アクティブ
帯域幅部分（BWP）は、DLまたはUL送信のためにUEに割り当てられる、キャリア周波数帯域内のシステム帯域幅の一部または全部である。1つのUEは、RRCシグナリングによって1つ以上のBWPを構成し得るが、1つ以上のBWPは、DCIまたはRRCシグナリングによってサービングセルのために所定の時間にアクティブBWPとしてアクティブ化され得、1つ以上のアクティブBWPは、DCIシグナリング、RRCシグナリング、またはタイムアウトによって非アクティブ化される／切り替えられる（例えば、デフォルトアクティブBWPに）。
【０１３４】
グラントフリーリソース構成の場合、BWP構成がBWPのための周波数帯域幅および周波数位置を含むとき、グラントフリー周波数リソースは、1つ以上のBWP内で割り当てられるべきであるため、グラントフリー時間および周波数リソースは、1つ以上の帯域幅部分に関連付けられる。一部の実施形態では、1つ以上のBWPは、GF UEのGFリソース構成の前にのみ帯域幅部分構成のための専用RRCシグナリングによって構成され得る。したがって、構成されるグラントフリーリソースは、BWP内になければならず、グラントフリー周波数領域リソースを構成するためにBWP位置を周波数基準として使用し得、例えば、BWP内のグラントフリーUE周波数リソースの相対周波数位置を定義するためにBWP開始位置（例えば、PRBインデックス）を使用するか、あるいはグラントフリーUE周波数リソースのために、それらがBWP内にあるように、絶対周波数位置（例えば、RBの周波数領域における開始RB番号および長さ）を使用する。他の実施形態では、UEのための1つ以上のBWPは、UEグラントフリーリソース構成のための同じRRCシグナリングで構成され得、その場合、1つ以上のグラントフリーリソースセットが、1つ以上のBWP内に置かれなければならない。一部の実施形態では、グラントフリーリソース構成のための周波数領域割り当てパラメータは、1つ以上のBWPのパラメータを含むように拡張され得る。例えば、拡張された周波数領域割り当ては、1つのBWPの周波数帯域幅および周波数位置、numerology、および1つ以上のグラントフリーリソース構成のためのBWP開始位置に関連する周波数領域位置、ならびにnumerologyを含み得、拡張された周波数領域割り当てはまた、1つ以上のBWP構成を含み得、それぞれは、1つ以上のグラントフリーリソース構成のための関連する周波数領域位置を含む。さらに、2つ以上のBWP（それぞれが一意のBWPインデックスを有する）がUEのために構成される場合に1つ以上のBWPインデックスを使用して、BWPおよび／またはグラントフリーリソース構成のアクティブ化および／または非アクティブ化／再構成が行われ得る。GFリソース構成はまた、周波数領域内のGFリソースの各BWPに関連付けられた共通の相対的な割り当てがGFリソース構成で定義または構成されなければならない場合、キャリアごとベースであり得る。
【０１３５】
1つ以上のBWPを伴うUEのBWP構成が最初に構成され得、1つ以上のリソース構成におけるGF周波数リソースはその後に構成され得、それぞれはBWPのそれぞれに関連付けられる。あるいは、各GFリソース構成は、1つ以上のBWP構成および関連するGF周波数リソースの両方ならびに他のリソースおよびパラメータを含み得る。一部の実施形態では、グラントフリーリソースをトリガまたはアクティブ化することはまた、関連するBWPをアクティブBWPとしてトリガまたはアクティブ化し（さらなるBWP切り替えシグナリングは必要とされない）、BWPをアクティブBWPとしてトリガまたはアクティブ化することはまた、1つおよび／またはより多くのGFリソース構成を、アクティブリソースとしてBWPに割り当てられるようにし、任意選択で、複数のGFリソース構成のために、1つ以上のシグナリングメッセージが、異なるGFリソース構成のGFリソースのリソースをアクティブ化するために適用され得る。グラントフリーリソースを非アクティブ化することはまた、関連するBWPを非アクティブBWPとして非アクティブ化し（さらなるBWP切り替えシグナリングは必要とされない）、BWPを非アクティブBWPとして非アクティブ化することは、非アクティブリソースとしてBWPに割り当てられたすべてのGFリソース構成を非アクティブ化し、さらなる非アクティブ化シグナリングは、関連するBWPのGFリソースの非アクティブ化に必要とされない。上記のシグナリング方式は、RRCおよび／またはDCIであり得る。
【０１３６】
グラントフリー送信におけるRRCのみのリソース構成の場合、リソース構成のための同じRRCシグナリングまたは帯域幅部分構成のみのための専用RRCシグナリングによって、1つ以上のBWPが構成され得、1つ以上のBWPは、別の専用RRCシグナリングまたはGFリソース（再）構成のためのRRCシグナリングによってサービングセルのために所定の時間にアクティブBWPとしてアクティブ化され得る。一部の実施形態では、1つ以上のBWPは、RRCのみのGFリソース（再）構成内で、または1つの専用RRCシグナリングによってアクティブまたはデフォルトアクティブBWPとして定義され得る。GFリソース構成のためのRRCのみのシグナリング以外の1つの専用RRCシグナリングによって複数のBWPが以前に構成されている場合、BWP構成は、BWPインデックスを含み得、その場合、1つのBWPインデックスは、それぞれの一意のBWP構成を指す。結果として、BWPインデックスは、BWPのアクティブ化および非アクティブ化／切り替え（アクティブBWPまたはデフォルトアクティブBWPへの）に使用され得る。複数のGFリソース（再）構成の場合、各GFリソース（再）構成は、1つ以上のBWPを構成、アクティブ化、および／または非アクティブ化するための1つ以上のBWP構成パラメータ（あるいは1つ以上のBWPインデックス）を含み得、その場合、GFリソース（再）構成からのGFリソースは、GFリソース（再）構成に含まれる1つ以上のアクティブBWPでのみ使用されることが有効である。あるいは、複数のGFリソース（再）構成は、1つ以上のBWP構成のパラメータを共有して含み得、その場合、複数のGFリソース（再）構成からのGFリソースは、複数のGFリソース（再）構成に含まれる1つ以上のアクティブBWPでのみ使用されることが有効である。
【０１３７】
グラントフリー送信におけるRRCおよびDCIシグナリングリソース構成の組み合わせの場合、BWP構成は、GFリソース構成（リソースの再構成、アクティブ化、非アクティブ化／解放、および／またはパラメータ更新などを含む）のためのRRCまたはDCIシグナリングで行われ得るか、または帯域幅部分の構成のための専用RRCまたはDCIシグナリングで行われ得る。1つ以上のBWP（またはBWPを参照するそのBWP構成インデックス）は、GFリソース構成のためのRRCまたはDCIシグナリングで明示的にアクティブBWPとしてアクティブ化され得るか、もしくはデフォルトアクティブBWPとして定義され得るか、または帯域幅部分の構成のための専用RRCまたはDCIシグナリングで行われ得る。さらに、UEの1つのアクティブBWP（または1つのアクティブBWPインデックス）は、GFリソース構成のためのRRCもしくはDCIシグナリングによって、帯域幅部分の構成のための専用RRCもしくはDCIシグナリングによって、またはタイマに基づいて、非アクティブ化され得るか、または構成されたBWPの中の別のBWP（もしくはBWPインデックス）または他の複数のBWP（または複数のBWPインデックス）に切り替えられ得る。1つ以上のデフォルトアクティブBWPは、GFリソース構成のためのRRCまたはDCIシグナリングによって、帯域幅部分の構成のための専用RRCまたはDCIシグナリングによってUEのために事前に定義または事前に構成され得る。GFリソース構成のためのRRCまたはDCIシグナリングから構成されたGFリソースは、GFリソース構成のためのRRCまたはDCIシグナリングに含まれる1つ以上のアクティブBWPでのみ使用されることが有効である。
【０１３８】
BWPの構成は、numerology（例えば、サブキャリア間隔およびCP長）、開始周波数領域位置、および周波数領域長（例えば、RBの数）、任意選択で信号波形などを含む。UEは、PRBの観点からBWPで構成され、BWPと（周波数領域）基準点との間のオフセットが、暗黙的または明示的にUEに示され、その場合、基準点は、例えば、NRキャリアの中心／境界、またはPRB0などの共通PRBインデックス開始点であり得る。
【０１３９】
UL BWP構成のnumerologyは、少なくともPUCCH、PUSCH、および対応するDMRSに適用され、DL BWP構成のnumerologyは、少なくともPDCCH、PDSCH、および対応するDMRSに適用される。
【０１４０】
BWP構成は、UE接続状態（例えば、RRC接続、非アクティブ、またはアイドル状態）などのシナリオに応じて、UE固有、UEグループベース、またはセル固有であり得る。一部の実施形態では、RRC接続状態のUEは、GFリソース構成のためにRRCのみを適用し得るか、またはUE固有のBWP構成および／もしくはアクティブ化／非アクティブ化／切り替えに関するGFリソース構成のためにRRCおよびDCIシグナリングの組み合わせを適用し得、非アクティブ状態では、BWP構成および／またはアクティブ化／非アクティブ化は、セルベースまたはグループベースのUEのためのブロードキャストまたはマルチキャストシグナリングによって適用され得る。GF送信の場合、DLおよび／またはUL帯域幅部分の構成、アクティブ化、および／または非アクティブ化は、GFリソース構成のためのシグナリングと異なる専用RRCシグナリングまたはDCIシグナリングによって行われ得、その場合、アクティブ化は、帯域幅部分の構成で実行され得、また、UEが、それぞれが異なるBWP構成インデックスを有する複数のBWPで構成される場合、BWPインデックス／複数のBWPインデックスは、UE固有のRRCシグナリングまたはDCIシグナリングによるアクティブ化または非アクティブ化に使用され得る。
【０１４１】
GF RNTIおよびHARQフィードバックの詳細
グラントベースC−RNTIと異なるGF RNTIは、例えば、HARQフィードバックおよびULグラントベース再送信（GF2GB切り替え）、およびリソースのアクティブ化／非アクティブ化、パラメータ更新、ならびにULデータスクランブリングまたはCRCスクランブリングなどのためにUE（またはUEグループ）のために構成される。UEのTB HARQプロセスIDを識別する際のHARQフィードバックのために、基地局は、例えばUL UE／TB固有のDMRS／RSによってUEを検出しなければならない。RSおよびデータの両方が正常に復号化された場合、GF RNTIは、TB HARQプロセスID、RS、および／もしくはNDI（例えば、0）を伴うULグラントのいずれかによってUEのTBに肯定応答するために使用され得るか、またはUEグループに関する情報のリストのためにグループ共通PDCCHに肯定応答するために使用され得、リスト中のそれぞれは、1ビット値（例えば、この場合にははいの）、どの時間周波数リソースのどのTBか、および／またはどのRSかを示すビットマップを有する。
【０１４２】
RSが正常に復号化されたが、データに検出の失敗がなかった場合、GF RNTIは、TB HARQプロセスID、RS、および／もしくはNDI（例えば、1）を伴うULグラントのいずれかによってUEのTBに否定応答するために使用され得るか、またはUEグループに関する情報のリストのためにグループ共通PDCCHに否定応答するために使用され得、リスト中のそれぞれは、1ビット値（例えば、この場合にはいいえの）、どの時間周波数リソースのどのTBか、および／またはどのRSかを示すビットマップを有する。一部の実施形態では、任意選択で時間周波数の周波数を有するRSが、1つ以上のUE／TBからのデータ検出の失敗に対してNACKを示すために使用され得る。
【０１４３】
初期送信の識別
グラントフリー送信の場合、UEトラフィックは、いつでも到着し得るが、初期送信タイミングは、HARQプロセスID、冗長バージョン番号などのHARQ動作が機能し得るように検出または識別されなければならない。トラフィック到着時の初期送信時間を識別するために、異なる方式がそうするために使用され得る。例えば、TBのGF送信は、その初期送信および後続の送信のために異なるDMRS（またはRS循環シフト）をとり得る。別の実施形態では、一部の特別な時間周波数リソースが、初期送信に使用され得、例えば、初期送信は、特定の事前に定義または事前に構成された時間および／または周波数リソースで実行され得る。時間、周波数、および／またはRSの組み合わせも、初期送信時間の識別に使用され得る。
【０１４４】
ミニスロットを用いたGF構成
GF送信におけるRRCのみのリソース構成の場合、UEおよびギガビットノードB（gNB）の両方が、TDDの構成されたフレーム構造がどのように見えるかについての同じ知識を、例えば、複数のスロットタイプ：DLのみ、ULのみ、DL中心およびUL中心、または高速SRS／CQIおよび柔軟なHARQタイミングを伴うスロットでダウンリンク制御から開始されてアップリンク制御で終了する自己完結型スロット、ならびにスロット内の構成されたミニスロット割り当て（それぞれが開始シンボル位置および期間を有する）、例えば、スロットまたはスロット内のDL、UL、もしくは両方のリンクのための7シンボルミニスロットで割り当てられる2シンボルミニスロットの位置および数を有さなければならない。構成は、準静的であり得、例えば、グループ共通PDCCHからのサブフレーム情報メッセージであり得る。RRCおよびDCIシグナリングの組み合わせによるグラントフリー送信の場合、準静的および／または動的シグナリング構成の両方がサポートされ得る。さらに、フレーム構造およびミニスロット構成は、FDDにも適用可能であり得る。
【０１４５】
グラントフリー時間領域リソース構成は、1つの周期性パラメータを適用し得、その場合、周期性は、初期および繰り返しの両方のグラントフリー送信機会を明示的に定義するか、LTEのようなバンドルなど、後続の繰り返しの送信機会が暗黙的に定義される一方で、グラントフリーのみの初期送信機会を定義するために使用され得る。他の実施形態では、グラントフリー時間領域リソース構成は、2つの周期性パラメータを適用し得、その場合、明示的に、1つの周期性は、初期送信のグラントフリー送信機会を定義し、もう1つは、後続の繰り返しのグラントフリー送信機会を定義する。周期性パラメータは、FDDの周期性によって構成される2つの隣接する送信リソース機会間のスロットの数などの絶対タイミングユニットを示し得、周期性パラメータは、TDDの周期性によって構成される2つの隣接する送信リソース機会間のミニスロットの数などの、利用可能な基本リソースユニットの数を示し（またはカウントし）得る。
【０１４６】
構成されたGF送信機会の場合、初期TB送信は、固定された送信機会に実行され得るか、任意の送信機会に実行され得るか、または準静的／RRCシグナリングもしくは動的／DCIシグナリングによって、（オプション1）固定された送信機会または（オプション2）任意の送信機会のいずれかで初期送信を操作するように（2つのオプションの一方で）構成可能であり得る。一実施形態では、初期送信のためにどのオプションが構成されるかは、アプリケーション／サービスタイプ／要件などの特定の考慮事項に基づき得る。オプション2の構成の場合、例えばHARQ IDの決定、RVシーケンス番号の決定などの初期送信タイミング、異なる方式は、前の段落で説明されたような方法で決定され得る。
【０１４７】
PUSCHおよびUL制御リソース構成
動的グラントなしのUL送信および／またはグラントベース送信での、ならびにスロットベースおよび／または非スロットシナリオでの物理アップリンク共有チャネル（PUSCH）および／またはUL制御リソース構成に関して、1つ以上のUEのためのリソースおよび送信機会を決定するために以下の式を用い得る。
【数１】
0006905078.tif 000002
【０１４８】
上記の式において、演算子
【数２】
0006905078.tif 000003
は、X以下の最大の整数を表す。nfは、システムにおけるシステムフレーム番号またはインデックス（0から開始される）であり、0は、システム無線フレームの開始に対するオフセットであり（すなわち、SFN＃0）、各フレームは、10個の1ミリ秒のサブフレームからなる。uは、サブキャリア間隔オプションの観点からnumerologyの構成を示す整数であり（例えば、15kHz、30kHz、60kHz、および120kHzに対する0、1、2、および3）、その場合、15kHzは、u＝0である基準サブキャリア間隔オプションとして使用される。nsは、uの所定のnumerology構成に対する、0〜140 2u−1から開始されるシステムフレーム内のスロットインデックスであり、nsymbolは、スロット内の、0〜13から開始されるシンボルインデックスである。nsymbol＿offsetは、例えばRRCもしくは同等にL1シグナリングによって（事前に）構成可能であるか、またはスロット内の事前に定義されたシンボルオフセットである。スロットベース構成の場合、nsymbol＿offsetは、デフォルトでゼロであり得、非スロットベース構成の場合、nsymbol＿offsetは、ゼロまたは例えば1から13までの正の整数であり得る。Pは、シンボルの数からの（またはスロットもしくは時間ユニットの観点からの）リソース周期性であり、繰り返されるまたは周期的なリソースの中の2つの隣接するPUSCHまたは制御チャネルリソース機会間の時間距離を例えばシンボルの＃で示す。
【０１４９】
さらに、Oが、システム無線フレームの開始からのサブフレーム番号の数の観点からのオフセットによって定義され、他のパラメータが、上記の段落で説明されたものと同じに保たれる場合、リソースおよび送信機会を決定するために以下の式を使用し得る。
【数３】
0006905078.tif 000004
【０１５０】
グラントフリーリソース構成オプションH
オプションA〜Fと比較すると、このオプションは、RRCシグナリングのF1およびF2が1つのフィールドに置き換えられている点でのみそれらと異なり、他の部分は、オプションA〜Fと同じである。この1つのフィールドは、複数の値を有し得、異なる値は、グラントフリーリソースおよびパラメータの異なるステータスを示す。例えば、フィールドは、2ビットを占有し得る。フィールドが「00」の値を有する場合、それは、グラントなしのUL送信が、準静的構成（L1／DCIのさらなるアクティブ化なし）の後に、URLLCアプリケーションおよびサービスの構成に少なくとも使用され得るが、L1シグナリングによって非アクティブ化、および／または更新、および／または変更、または解放され得ないグラントフリーリソースおよびパラメータを使用してUEによって実行され得ることを意味する。フィールドが「10」の値を有する場合、それは、グラントフリーリソースおよびパラメータが、基地局からの別のシグナリングを使用してアクティブ化される必要があり、また別のシグナリングによって変更または更新、解放され得ることを意味する。フィールドが「11」の値を有する場合、それは、グラントフリーリソースおよびパラメータが、さらにアクティブ化されることなく使用され得、別のシグナリングによって非アクティブ化、変更、更新、または解放され得ることを意味する。
【０１５１】
グラントフリー送信モードに関するいくぶんより詳細な説明
リソースおよび関連するパラメータを構成し、異なる方法で動作させるための複数のグラントフリー送信オプションがあり、UEおよびgNBは、異なる動作挙動に従い得る。
【０１５２】
オプション1は、モードAおよびモードBの2つのULスケジューリング要求（SR）フリーデータ送信モードを定義し、含む。SRフリーは、スケジューリング要求がないことを意味する。
【０１５３】
モードAでは、図4Aを参照すると、基地局170は、UE 110のためのRRCシグナリングを介して送信リソースおよびパラメータを構成し（404）、UEは、アクティブ化／非アクティブ化／解放シグナリング、送信パラメータ更新シグナリングを含むPDCCHグラント情報（例えば、DCI）を（周期的に、例えばすべてのTTIで）監視する必要はなく（406）、UEは、ACKシグナリングを検出する必要がある場合もない場合もあり（ACKによる早期終了、ACKなしの事前に定義された送信時間）、グラントフリーリソースのアクティブ化、非アクティブ化、または解放は、RRCシグナリングを介して1ビット以上の制御メッセージによって行われる。送信される必要があるULデータがあると、UEは、ULグラントを取得することなくULデータを送信する（408）ために、RRCシグナリングを介して構成されたリソースおよびパラメータの少なくとも一部を適用する。このモードでは、RRCシグナリングは、すべてのリソース構成および再構成を処理するために使用され、このため、DCIシグナリングは、この場合にはまったく使用されない。
【０１５４】
モードBでは、図4Bを参照すると、基地局170は、UE 110のためのRRCシグナリングを介して送信リソースおよびパラメータを構成する（404）が、構成された送信リソースおよびパラメータは、リソースおよびパラメータの少なくとも一部をアクティブにするためのL1アクティブ化シグナリング（例えば、PDCCHを介する）が受信されるまで、ULデータを送信するために使用され得ず、UEは、潜在的な送信パラメータの変更のために各TTIでDCIを監視する（412）必要があり、それが、ステップ412で監視された、グラントフリーリソースおよびパラメータの少なくとも一部を非アクティブ化するためのシグナリング（414）である場合、UEは、構成されたグラントフリーリソースおよびパラメータの一部の使用を停止し得、それが、ステップ412で受信されたDCIグラントシグナリングである場合、UEは、グラントベース送信に切り替え得る。送信される必要があるULデータがあると、UEは、次にステップ408を実施する。
【０１５５】
オプション2では、SRフリー送信リソースおよびパラメータは、RRCシグナリングによって構成され、その場合、1つの追加のインジケータが、リソースのアクティブ化、非アクティブ化／解放、およびパラメータ変更などのためにL1／DCIシグナリングが用いられるかどうかを示すために使用され、したがって、モードC（DCI無効モード）およびモードD（DCI有効モード）のモードがある。モードタイプは、RRCシグナリングによって事前に定義または事前に構成され得る。
【０１５６】
モードCでは、図4Cを参照すると、基地局170は、UE 110のためのRRCシグナリングを介してグラントフリーリソースおよびパラメータを構成し（416）、その場合、RRCシグナリングは、グラントフリーリソースおよびパラメータをアクティブ化するためにDCIは必要とされないことを示すためのインジケータを含み、UEは、アクティブ化／非アクティブ化／解放シグナリング、送信パラメータ更新シグナリングを含むPDCCHグラント情報（例えば、DCI）を（周期的に、例えばすべてのTTIで）監視する必要はなく（406）、UEは、ACKシグナリングを検出する必要がある場合もない場合もあり（ACKによる早期終了、ACKなしの事前に定義された送信時間）、グラントフリーリソースのアクティブ化、非アクティブ化、または解放は、RRCシグナリングを介して1ビット以上の制御メッセージによって行われる。送信される必要があるULデータがあると、UEは、ULグラントを取得することなくULデータを送信する（408）ために、RRCシグナリングを介して構成されたリソースおよびパラメータの少なくとも一部を適用する。このモードでは、RRCシグナリングは、すべてのリソース構成および再構成を処理するために使用される。結果として、DCIシグナリングは、この場合にはまったく使用されず、UEは、UE機能レポートに基づいてgNBによって構成され得る、PDCCHなどのL1シグナリングを各TTIで監視する場合も監視しない場合もある。
【０１５７】
モードDでは、図4Dを参照すると、基地局170は、UE 110のためのRRCシグナリングを介して送信リソースおよびパラメータを構成する（418）が、RRCシグナリングは、構成された送信リソースおよびパラメータが、リソースおよびパラメータの少なくとも一部をアクティブにするためのL1アクティブ化シグナリング（例えば、PDCCHを介する）が受信されるまで、ULデータを送信するために使用され得ないことを示すためのインジケータを含み、UEは、潜在的な送信パラメータの変更のために各TTIでDCIを監視する（420）必要があり、それが、ステップ420で監視された、グラントフリーリソースおよびパラメータの少なくとも一部を非アクティブ化するためのシグナリング（422）である場合、UEは、構成されたグラントフリーリソースおよびパラメータの一部の使用を停止し得、それが、ステップ940で受信されたDCIグラントシグナリングである場合、UEは、グラントベース送信に切り替え得る。送信される必要があるULデータがあると、UEは、次にステップ408を実施する。
【０１５８】
UEは、トラフィック／サービスタイプ、デバイスタイプ、モビリティなどのそのUE機能を基地局にレポートし得る（402）。基地局は、UEのレポートされた機能に基づいて、どのグラントフリー送信オプションまたはどのモードが使用されるかを決定し得る。基地局およびUEは、上述された1つ以上のモードをサポートし得る。
【０１５９】
図5は、2つのUEがグラントなしの送信のためのリソースを構成するための一実施形態の方法500の例示的なフローチャートを示す。方法500はステップ502で開始され、そこでは、第1のUEが、基地局から第1のRRC信号を受信する。第1のRRC信号は、第1のUEに対するグラントなしの送信のための構成パラメータの第1のサブセットを指定し得る。一実施形態では、第1のRRC信号によって指定される構成パラメータの第1のサブセットは、グラントなしの送信のためのリソース周期性を備え得る。第1のUEは、図2のUE1であり得る。
【０１６０】
図5のステップ504で、第1のUEは、基地局から第1のDCI信号を受信する。第1のDCI信号は、第1のUEに対するグラントなしの送信のための構成パラメータの第2のサブセットを指定し得る。一実施形態では、第1のDCI信号によって指定される構成パラメータの第2のサブセットは、グラントなしの送信のために予約されたUL時間／周波数リソース、グラントなしの送信のための変調および符号化方式（MCS）パラメータ、ならびにグラントなしの送信のための復調基準信号（DMRS）構成のうちの1つ以上を含み得る。
【０１６１】
ステップ506で、第1のUEは、第1のRRC信号および第1のDCI信号における、グラントなしの送信のための構成パラメータに従ってグラントなしの第1の送信を実行し得る。一実施形態では、第1のUEは、第1のRRC信号で指定された、グラントなしの送信のための構成パラメータの第1のサブセットおよび第1のDCI信号で指定された、グラントなしの送信のための構成パラメータの第2のサブセットに従ってグラントなしの第1のUL送信を実行し得る。
【０１６２】
ステップ512で、第2のUEは、基地局から第2のRRC信号を受信する。第2のRRC信号は、グラントなしの送信のための1つ以上の構成パラメータを指定し得る。一実施形態では、第2のRRC信号は、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの1つ以上を含み得る。第2のRRC信号において、グラントなしの送信のための時間リソースサイズパラメータは、データ送信間隔（TTI）のアクセス可能な開始位置およびアクセス可能な終了位置を含み得る。データTTIは、シンボル、ミニスロット、およびスロットのうちの1つであり得る。「ミニスロット」という用語は、「非スロット」とも呼ばれ得る。ここでのTTIは、アップリンク（UL）および／またはダウンリンク（DL）で制御情報を送信することにも適用可能である。第2のUEは、図2のUE2であり得る。
【０１６３】
加えて、第2のRRC信号によって指定される1つ以上の第2のUE構成パラメータは、グラントなしの送信のための送信numerology、サブバンド分割、およびサブバンド位置を含み得る。一実施形態では、グラントなしの送信のための送信numerology、サブバンド分割、およびサブバンド位置は、明示的または暗黙的なブロードキャストシグナリングによって事前に構成される。別の実施形態では、グラントなしの送信のための送信numerology、サブバンド分割、およびサブバンド位置は、RRCシグナリングによって事前に構成され得る。
【０１６４】
一部の実施形態では、第2のRRC信号の1つ以上の第2のUE構成パラメータは、1つ以上のアクティブ帯域幅部分としてアクティブ化される、またはサービングセルの1つ以上のデフォルトアクティブ帯域幅部分として定義される1つ以上の帯域幅部分を指定し得る。
【０１６５】
図5のステップ514で、第2のUEは、第2のRRC信号によって指定された、グラントなしの送信のための構成パラメータに従ってグラントなしの第2のUL送信を実行し得る。一実施形態では、第2のUEのためのリソース構成のためにDCIシグナリングは必要とされない。したがって、受信された第2のRRCを用いて、第2のUEは、DCI信号を待つことなくグラントなしの第2のUL送信を実行し得る。
【０１６６】
一部の実施形態では、第1のRRC信号および第2のRRC信号のうちの少なくとも一方は、グラントなしのUL送信のための少なくとも2つの事前に定義されたリソース構成オプションのうちの1つを示す情報を含み得る。第1の事前に定義されたリソース構成オプションは、RRC構成およびDCI／レイヤ1シグナリングの組み合わせであり得る。第1のUEによって受信される第1のRRC信号は、第1のUEがRRC構成およびDCI／レイヤ1シグナリング構成の組み合わせを受信することを示し得る。第2の事前に定義された送信リソース構成オプションは、非DCIシグナリング（例えば、RRCシグナリング）ベース構成であり得る。第2のUEによって受信される第2のRRC信号は、第2のUEが非DCIシグナリングベース構成を受信することを示し得る。
【０１６７】
非DCIシグナリングベース構成の場合、UEは、基地局からのRRC信号またはDCI信号で構成パラメータの更新を受信し得る。例えば、第2のUEは、第2のRRC信号によって指定された、グラントなしの送信のための1つ以上の構成パラメータを更新するための情報を含む第3のRRC信号を受信し得る。別の例では、第2のUEは、第2のRRC信号によって指定された、グラントなしの送信のための1つ以上の構成パラメータを更新するための情報を指定する第2のDCI信号を受信し得る。更新を受信した後、第2のUEは、グラントなしの送信のための更新された1つ以上の構成パラメータに従ってグラントなしのUL送信を実行し得る。
【０１６８】
一実施形態では、UEは、グラントなしのデータ送信またはグラントなしの制御メッセージ送信を実行するためにグラントなしの送信のための構成パラメータを使用し得る。例えば、第1のUEは、グラントなしの送信のための構成パラメータの第1のサブセットおよび第2のサブセットに従ってグラントなしの第1のUL送信を実行し得、グラントなしの第1のUL送信は、データ送信、制御メッセージ送信、または両方の組み合わせであり得る。別の例では、第1のUEは、第2のRRC信号によって指定される、グラントなしの送信のための1つ以上の構成パラメータに従ってグラントなしの第2のUL送信を実行し得、グラントなしの第2のUL送信は、データ送信、制御メッセージ送信、または両方の組み合わせであり得る。
【０１６９】
一実施形態では、非アクティブまたはアイドル状態にあるとき、第1のUEは、基地局から、グラントなしの送信のための1つ以上の構成パラメータを指定するブロードキャスト信号を受信し得る。グラントなしの送信のための1つ以上の構成パラメータは、グラントなしの送信のために予約されたUL周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第1のUEは、ブロードキャスト信号によって指定された、グラントなしの送信のための1つ以上の構成パラメータに従ってUL送信を実行し得る。
【０１７０】
別の実施形態では、非アクティブまたはアイドル状態にあるとき、第1のUEは、基地局から、グラントなしの送信のための1つ以上の構成パラメータを指定するマルチキャスト信号を受信し得る。グラントなしの送信のための1つ以上の構成パラメータは、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第1のUEは、マルチキャスト信号によって指定された、グラントなしの送信のための1つ以上の構成パラメータに従ってUL送信を実行し得る。
【０１７１】
一実施形態では、非アクティブまたはアイドル状態にあるとき、第2のUEは、基地局から、グラントなしの送信のための1つ以上の構成パラメータを指定するブロードキャスト信号を受信し得る。グラントなしの送信のための1つ以上の構成パラメータは、グラントなしの送信のために予約されたUL周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第2のUEは、ブロードキャスト信号によって指定された、グラントなしの送信のための1つ以上の構成パラメータに従ってUL送信を実行し得る。
【０１７２】
別の実施形態では、非アクティブまたはアイドル状態にあるとき、第2のUEは、基地局から、グラントなしの送信のための1つ以上の構成パラメータを指定するマルチキャスト信号を受信し得る。グラントなしの送信のための1つ以上の構成パラメータは、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの少なくとも1つを含み得る。次に、第2のUEは、マルチキャスト信号によって指定された、グラントなしの送信のための1つ以上の構成パラメータに従ってUL送信を実行し得る。
【０１７３】
図6は、基地局がグラントなしの送信のための送信リソースを構成するための一実施形態の方法600の例示的なフローチャートを示す。方法600は、ステップ602で開始され、そこでは、基地局が、第1の無線リソース制御（RRC）信号を第1のUEに送信する。第1のRRC信号は、第1のUE構成パラメータの第1のサブセットを指定し得る。
【０１７４】
ステップ604で、基地局は、第1のDCI信号を第1のUEに送信する。第1のDCI信号は、第1のUE構成パラメータの第2のサブセットを指定し得る。一実施形態では、グラントなしの送信のための第1のUE構成パラメータの第1のサブセットは、グラントなしの送信のためのリソース周期性を含み得る。グラントなしの送信のための第1のUE構成パラメータの第2のサブセットは、グラントなしの送信のために予約されたUL時間／周波数リソース、グラントなしの送信のための変調および符号化方式（MCS）パラメータ、ならびにグラントなしの送信のための復調基準信号（DMRS）構成のうちの1つ以上を含み得る。
【０１７５】
ステップ606で、基地局は、第1のRRC信号および第1のDCI信号における、グラントなしの送信のための構成パラメータに従って第1のUEからグラントなしの第1のUL送信を受信し得る。一実施形態では、基地局は、第1のRRC信号で指定された、グラントなしの送信のための構成パラメータの第1のサブセットおよび第1のDCI信号で指定された、グラントなしの送信のための構成パラメータの第2のサブセットに従ってグラントなしの第1のUL送信を受信し得る。
【０１７６】
ステップ612で、基地局は、第2のRRC信号を第2のUEに送信する。第2のRRC信号は、1つ以上の第2のUE構成パラメータを指定し得る。一実施形態では、第2のRRC信号は、グラントなしの送信のために予約されたアップリンク（UL）周波数リソース、開始時間基準、リソース周期性、グラントなしの送信のための時間リソースサイズパラメータ、グラントなしの送信のための変調および符号化方式（MCS）パラメータ、グラントなしの送信のための復調基準信号（DMRS）構成、電力制御パラメータ、ならびにグラントなしの送信のための1つ以上の繰り返し係数のうちの1つ以上を含み得る。第2のRRC信号において、グラントなしの送信のための時間リソースサイズパラメータは、データ送信間隔（TTI）のアクセス可能な開始位置およびアクセス可能な終了位置を含み得る。データTTIは、シンボル、ミニスロット、およびスロットのうちの1つであり得る。「ミニスロット」という用語は、「非スロット」とも呼ばれ得る。ここでのTTIは、アップリンク（UL）および／またはダウンリンク（DL）で制御情報を送信することにも適用可能である。
【０１７７】
ステップ614で、基地局は、第2のRRC信号における、グラントなしの送信のための構成パラメータに従って第2のUEからグラントなしの第2のUL送信を受信し得る。一実施形態では、第2のUEのためのリソース構成のためにDCIシグナリングは必要とされない。したがって、送信された第2のRRCを用いて、基地局は、DCI信号を第2のUEに送信することを待つことなく第2のUEからグラントなしの第2のUL送信を受信し得る。
【０１７８】
一部の実施形態では、第1のRRC信号および第2のRRC信号のうちの少なくとも一方は、グラントなしのUL送信のための少なくとも2つの事前に定義されたリソース構成オプションのうちの1つを示す情報を含み得る。第1の送信構成オプションは、RRC構成およびDCI／レイヤ1シグナリングの組み合わせであり得る。基地局によって送信される第1のRRC信号は、第1のUEがRRC構成およびDCI／レイヤ1シグナリング構成の組み合わせを受信することを示し得る。第2のUL送信リソース構成オプションは、非DCIシグナリング（例えば、RRCシグナリング）ベース構成であり得る。基地局によって送信される第2のRRC信号は、第2のUEが非DCIシグナリングベース構成を受信することを示し得る。
【０１７９】
非DCIシグナリングベース構成の場合、基地局は、RRC信号またはDCI信号で構成パラメータの更新をUEに送信し得る。例えば、基地局は、第2のRRC信号によって指定される、グラントなしの送信のための1つ以上の構成パラメータを更新するための情報を含む第3のRRC信号を第2のUEに送信し得る。別の例では、基地局は、第2のRRC信号によって指定される、グラントなしの送信のための1つ以上の構成パラメータを更新するための情報を指定する第2のDCI信号を第2のUEに送信し得る。更新を送信した後、基地局は、グラントなしの送信のための更新された1つ以上の構成パラメータに従ってグラントなしのUL送信を受信し得る。
【０１８０】
図7Aおよび図7Bは、本開示による方法および教示を実施し得る例示的なデバイスを示す。具体的には、図7Aは、例示的なUE110を示し、図7Bは、例示的な基地局170を示す。これらの構成要素は、システム100または任意の他の適切なシステムで使用され得る。
【０１８１】
図7Aに示されているように、UE110は、少なくとも1つの処理ユニット700を含む。処理ユニット700は、UE110の様々な処理動作を実施する。例えば、処理ユニット700は、信号符号化、データ処理、電力制御、入力／出力処理、またはUE110がシステム100で動作することを可能にする任意の他の機能を実行し得る。処理ユニット700は、上でより詳細に説明された方法および教示もサポートする。各処理ユニット700は、1つ以上の動作を実行するように構成される任意の適切な処理またはコンピューティングデバイスを含む。各処理ユニット700は、例えば、マイクロプロセッサ、マイクロコントローラ、デジタル信号プロセッサ、フィールドプログラマブルゲートアレイ、または特定用途向け集積回路を含み得る。
【０１８２】
UE110は、少なくとも1つのトランシーバ702も含む。トランシーバ702は、少なくとも1つのアンテナまたはNIC（ネットワークインタフェースコントローラ）704による送信のためにデータまたは他のコンテンツを変調するように構成される。トランシーバ702はまた、少なくとも1つのアンテナ704によって受信されるデータまたは他のコンテンツを復調するように構成される。各トランシーバ702は、ワイヤレスまたは有線送信のための信号を生成し、および／またはワイヤレスまたは有線で受信される信号を処理するための任意の適切な構造を含む。各アンテナ704は、ワイヤレスまたは有線信号を送信および／または受信するための任意の適切な構造を含む。1つまたは複数のトランシーバ702が、UE110で使用され得、1つまたは複数のアンテナ704が、UE110で使用され得る。単一の機能ユニットとして示されているが、トランシーバ702はまた、少なくとも1つの送信機および少なくとも1つの別個の受信機を使用して実施され得る。
【０１８３】
UE110は、1つ以上の入力／出力デバイス706またはインタフェース（インターネット150への有線インタフェースなど）をさらに含む。入力／出力デバイス706は、ネットワーク内のユーザまたは他のデバイスとの相互作用（ネットワーク通信）を容易にする。各入力／出力デバイス706は、ネットワークインタフェース通信を含む、スピーカ、マイクロホン、キーパッド、キーボード、ディスプレイ、またはタッチスクリーンなど、ユーザに情報を提供するか、またはユーザから情報を受信／提供するための任意の適切な構造を含む。
【０１８４】
加えて、UE110は、少なくとも1つのメモリ708を含む。メモリ708は、UE110によって使用、生成、または収集される命令およびデータを記憶する。例えば、メモリ708は、処理ユニット700によって実行されるソフトウェアまたはファームウェア命令および入力信号の干渉を低減または除去するために使用されるデータを記憶し得る。各メモリ708は、任意の適切な揮発性および／または不揮発性の記憶装置ならびに検索デバイスを含む。ランダムアクセスメモリ（RAM）、読み出し専用メモリ（ROM）、ハードディスク、光ディスク、加入者識別モジュール（SIM）カード、メモリスティック、およびセキュアデジタル（SD）メモリカードなどの任意の適切なタイプのメモリが使用されてもよい。
【０１８５】
図7Bに示されているように、基地局170は、少なくとも1つの処理ユニット750と、送信機および受信機の機能を含む少なくとも1つのトランシーバ752と、1つ以上のアンテナ756と、少なくとも1つのメモリ758と、1つ以上の入力／出力デバイスまたはインタフェース766とを含む。当業者によって理解されるであろうスケジューラ753は、処理ユニット750に結合される。スケジューラ753は、基地局170内に含まれ得、または基地局170とは別個に動作され得る。処理ユニット750は、信号符号化、データ処理、電力制御、入力／出力処理、または任意の他の機能などの、基地局170の様々な処理動作を実施する。処理ユニット750は、上でより詳細に説明された方法および教示もサポートし得る。各処理ユニット750は、1つ以上の動作を実行するように構成される任意の適切な処理またはコンピューティングデバイスを含む。各処理ユニット750は、例えば、マイクロプロセッサ、マイクロコントローラ、デジタル信号プロセッサ、フィールドプログラマブルゲートアレイ、または特定用途向け集積回路を含み得る。
【０１８６】
各トランシーバ752は、1つ以上のUEまたは他のデバイスへのワイヤレスまたは有線送信のための信号を生成するための任意の適切な構造を含む。各トランシーバ752は、1つ以上のUEまたは他のデバイスからワイヤレスまたは有線で受信される信号を処理するための任意の適切な構造をさらに含む。トランシーバ752として組み合わされて示されているが、送信機および受信機は、別個の構成要素であってもよい。各アンテナ756は、ワイヤレスまたは有線信号を送信および／または受信するための任意の適切な構造を含む。ここでは、共通アンテナ756が、トランシーバ752に結合されているように示されているが、1つ以上のアンテナ756が、トランシーバ752に結合され得、このため、別々の構成要素として装備される場合、送信機および受信機には、別々のアンテナ756が結合されることが可能である。各メモリ758は、任意の適切な揮発性および／または不揮発性の記憶装置ならびに検索デバイスを含む。各入力／出力デバイス766は、ネットワーク内のユーザまたは他のデバイスとの相互作用（ネットワーク通信）を容易にする。各入力／出力デバイス766は、ネットワークインタフェース通信を含む、ユーザに情報を提供するか、またはユーザから情報を受信／提供するための任意の適切な構造を含む。
【０１８７】
図7AのようなUEまたは図7Bのような基地局の両方では、処理ユニットが、集積回路または論理回路を使用するなどしてハードウェアによって実施される場合、メモリが、処理ユニットに組み込まれ得ることに留意されたい。
【０１８８】
図8は、ホストデバイスに組み込まれ得る、本明細書で説明されている方法を実行するための実施形態の処理システム800のブロック図を示す。図示されているように、処理システム800は、プロセッサ804、メモリ806、およびインタフェース810〜814を含み、これらは、図8に示されているように配置されてもよい（または配置されなくてもよい）。プロセッサ804は、計算および／または他の処理関連タスクを実行するように適合された構成要素または構成要素の集合であってよく、メモリ806は、プロセッサ804によって実行されるプログラミングおよび／または命令を記憶するように適合された構成要素または構成要素の集合であってもよい。一実施形態では、メモリ806は、非一時的なコンピュータ可読媒体を含む。インタフェース810、812、814は、処理システム800が他のデバイス／構成要素および／またはユーザと通信することを可能にする構成要素または構成要素の集合であってもよい。例えば、インタフェース810、812、814のうちの1つ以上は、データ、制御、または管理メッセージをプロセッサ804から、ホストデバイスおよび／または遠隔デバイスにインストールされたアプリケーションに通信するように適合されてもよい。別の例として、インタフェース810、812、814のうちの1つ以上は、ユーザまたはユーザデバイス（例えば、パーソナルコンピュータ（PC）など）が処理システム800と相互作用／通信することを可能にするように適合されてもよい。処理システム800は、長期用記憶装置（例えば、不揮発性メモリなど）などの、図8には描かれていない追加の構成要素を含んでもよい。
【０１８９】
一部の実施形態では、処理システム800は、電気通信ネットワークにアクセスするネットワークデバイスまたは電気通信ネットワークの一部であるネットワークデバイスに含まれる。一例では、処理システム800は、電気通信ネットワーク内の基地局、中継局、スケジューラ、コントローラ、ゲートウェイ、ルータ、アプリケーションサーバ、または任意の他のデバイスなどの、ワイヤレスまたは有線電気通信ネットワーク内のネットワーク側デバイス内にある。他の実施形態では、処理システム800は、電気通信ネットワークにアクセスするように適合された移動局、ユーザ機器（UE）、パーソナルコンピュータ（PC）、タブレット、ウェアラブル通信デバイス（例えば、スマートウォッチなど）、または任意の他のデバイスなどの、ワイヤレスまたは有線電気通信ネットワークにアクセスするユーザ側デバイス内にある。
【０１９０】
一部の実施形態では、インタフェース810、812、814のうちの1つ以上は、処理システム800と、電気通信ネットワークを介してシグナリングを送信および受信するように適合されたトランシーバとを接続する。
【０１９１】
第1の態様では、グラントフリー送信の方法は、基地局によって、UEのための少なくとも2つのグラントフリーアップリンク送信リソース構成オプションからグラントフリーアップリンク送信リソース構成オプションを選択するステップと、選択されたオプションをUEに通知するステップとを含む。この方法により、UEは、グラントフリーリソースを割り当てられるより大きな柔軟性を有し得る。
【０１９２】
第1の態様の方法の第1の実施の形態では、少なくとも2つのグラントフリーアップリンク送信リソース構成オプションのうちの1つは、RRC構成およびレイヤ1シグナリングリソース構成の組み合わせである。
【０１９３】
第1の態様の方法の第2の実施の形態では、ボイスオーバインターネットプロトコル（VoIP）などの予測可能なトラフィックが、動的ダウンリンク制御情報（DCI）および非DCIシグナリングベースのシグナリングの組み合わせによるグラントフリー送信を用いて構成され得る。
【０１９４】
第1の態様の方法の第3の実施の形態では、少なくとも2つのグラントフリーアップリンク送信リソース構成オプションのうちの1つは、非DCIシグナリングベース構成である。
【０１９５】
第1の態様の方法の第4の実施の形態では、非DCIシグナリング構成は、レイテンシに敏感なサービス用である。
【０１９６】
第1の態様の方法の第5の実施の形態では、非DCIシグナリング構成は、レイテンシに敏感でないサービス用である。
【０１９７】
第1の態様の方法の第6の実施の形態では、グラントフリーアップリンク送信リソース構成オプションは事前に定義されるか、またはブロードキャストされる。
【０１９８】
第1の態様の方法の第7の実施の形態では、選択されたオプションをUEに通知するステップは、非DCIシグナリング情報を選択されたオプションにマッピングすることによって暗黙的である。
【０１９９】
第1の態様の方法の第8の実施の形態では、非DCIシグナリング情報を選択されたオプションにマッピングすることは、非DCIシグナリング情報がグラントフリー送信に必要とされる十分なリソース情報を含む場合、選択されたオプションは、非DCIシグナリングベース構成であり、そうでなければ、選択されたオプションは、RRC構成およびDCI／レイヤ1シグナリングリソース構成の組み合わせであることである。
【０２００】
第1の態様の方法の第9の実施の形態では、選択されたオプションをUEに通知するステップは、選択されたオプションがデフォルトオプションと同じである場合、暗黙的である。
【０２０１】
第1の態様の方法の第10の実施の形態では、非DCIシグナリングは、無線リソース制御シグナリング、ブロードキャストシグナリング、またはマルチキャストシグナリングを含む。
【０２０２】
第2の態様では、第1の態様の方法を実施するグラントフリー送信のための基地局が提供される。
【０２０３】
本開示は、様々な実施形態に関連して説明されてきた。しかしながら、開示された実施形態に対する他の変形および修正は、図面、開示、および添付の特許請求の範囲の研究から理解および実施され得、そのような変形および修正は、添付の特許請求の範囲に含まれると解釈されるべきである。特許請求の範囲において、「備える」という語は、他の要素またはステップを除外せず、不定冠詞「1つの（a）」または「1つの（an）」は、複数を除外しない。シングルプロセッサまたは他のユニットは、特許請求の範囲に記載されたいくつかのアイテムの機能を果たし得る。特定の手段が相互に異なる従属請求項に記載されているという単なる事実は、これらの手段の組み合わせが好適に使用され得ないことを示したり、排除したり、または示唆したりするものではない。コンピュータプログラムは、他のハードウェアと共にまたはその一部として提供される光記憶媒体またはソリッドステート媒体などの適切な媒体に記憶または分散され得るが、インターネットまたは他の有線もしくはワイヤレス通信システムを介するなど、他の形態でも分散され得る。
【符号の説明】
【０２０４】
100  通信システム
110  ユーザ機器（UE）
110a  ユーザ機器（UE）
110b  ユーザ機器（UE）
110c  ユーザ機器（UE）
120a  無線アクセスネットワーク（RAN）
120b  無線アクセスネットワーク（RAN）
130  コアネットワーク
140  公衆交換電話網（PSTN）
150  インターネット
160  他のネットワーク
170  基地局
170a  基地局
170b  基地局
190  エアインタフェース
300  フォーマットA
302  フォーマットB
304  追加フィールド
306  テーブル
700  処理ユニット
702  トランシーバ
704  アンテナ
706  入力／出力デバイス
708  メモリ
750  処理ユニット
752  トランシーバ
753  スケジューラ
756  アンテナ
758  メモリ
766  入力／出力デバイス
800  処理システム
804  プロセッサ
806  メモリ
810  インタフェース
812  インタフェース
814  インタフェース
【図１】
0006905078.tif 000005
【図２】
0006905078.tif 000006
【図３】
0006905078.tif 000007
【図４Ａ】
0006905078.tif 000008
【図４Ｂ】
0006905078.tif 000009
【図４Ｃ】
0006905078.tif 000010
【図４Ｄ】
0006905078.tif 000011
【図５】
0006905078.tif 000012
【図６】
0006905078.tif 000013
【図７Ａ】
0006905078.tif 000014
【図７Ｂ】
0006905078.tif 000015
【図８】
0006905078.tif 000016